(57)【特許請求の範囲】
【請求項１】
コンテンツをそれぞれ記録する複数の記録媒体を保管するライブラリの管理に適用されるライブラリ管理プログラムであって、
コンピュータを、
前記ライブラリにおける複数の保管場所をそれぞれ識別し当該保管場所に設けられる保管場所識別子、および前記複数の記録媒体をそれぞれ識別し当該記録媒体に設けられる記録媒体識別子を発行する識別子発行手段、
少なくとも、前記保管場所識別子の情報、前記記録媒体識別子の情報、前記コンテンツの消去が可能か否かを示す消去可／不可の情報、前記コンテンツの消去可能日の情報、および前記記録媒体が廃棄の対象であるか否かを示す廃棄の情報をデータベースに登録する登録手段、
前記記録媒体を前記ライブラリに入庫する際に、前記保管場所識別子および前記記録媒体識別子を読み取る読取手段、
前記読取手段の読取結果と前記データベースに登録された情報とに基づいて、入庫管理を行うとともに、前記データベースに登録された情報に基づいて、前記コンテンツの消去または廃棄が可能な記録媒体のリストをユーザに閲覧させる制御手段、
として機能させ、
前記記録媒体が廃棄の対象となるか否かは、廃棄候補の記録媒体に対して劣化状態を定量的に診断して劣化していると診断された場合に、廃棄の対象とすることを特徴とするライブラリ管理プログラム。
【請求項２】
前記制御手段は、前記データベースに登録された前記保管場所識別子に基づいて、保管場所に関する情報をユーザに閲覧させることを特徴とする請求項１に記載のライブラリ管理プログラム。
【請求項３】
前記読取手段は、前記ライブラリから前記記録媒体を出庫する際に前記記録媒体識別子を読み取り、前記制御手段は、前記読取手段の読取結果と前記データベースに登録された情報とに基づいて、出庫管理を行うことを特徴とする請求項１または２に記載のライブラリ管理プログラム。
【請求項４】
前記登録手段は、前記コンテンツと前記記録媒体との対応関係を表す対応関係情報を前記データベースに登録し、前記制御手段は、対応関係情報をユーザに閲覧させることを特徴とする請求項１〜３のいずれか一つに記載のライブラリ管理プログラム。
【請求項５】
コンピュータを、前記記録媒体の貸借状態を表す貸借情報を入力する貸借情報入力手段、前記貸借情報をユーザに閲覧させる閲覧手段、として機能させることを特徴とする請求項３または４に記載のライブラリ管理プログラム。
【請求項６】
前記貸借情報には、貸借元の情報が含まれていることを特徴とする請求項５に記載のライブラリ管理プログラム。
【請求項７】
前記識別子発行手段は、前記保管場所識別子、前記記録媒体識別子をバーコードとして発行し、前記読取手段は、前記バーコードを読み取るバーコードリーダであることを特徴とする請求項１〜６のいずれか一つに記載のライブラリ管理プログラム。
【請求項８】
前記識別子発行手段は、前記記録媒体に設けられ前記記録媒体識別子に対応する数値ラベルを発行することを特徴とする請求項７に記載のライブラリ管理プログラム。
【請求項９】
前記識別子発行手段は、いずれのコンテンツも記録されていない空の記録媒体に対しても、前記記録媒体識別子を発行することを特徴とする請求項１〜８のいずれか一つに記載のライブラリ管理プログラム。
【請求項１０】
コンテンツをそれぞれ記録する複数の記録媒体を保管するライブラリの管理に適用されるライブラリ管理方法であって、
前記ライブラリにおける複数の保管場所をそれぞれ識別し当該保管場所に設けられる保管場所識別子、および前記複数の記録媒体をそれぞれ識別し当該記録媒体に設けられる記録媒体識別子を発行する識別子発行工程と、
少なくとも、前記保管場所識別子の情報、前記記録媒体識別子の情報、前記コンテンツの消去が可能か否かを示す消去可／不可の情報、前記コンテンツの消去可能日の情報、および前記記録媒体が廃棄の対象であるか否かを示す廃棄の情報をデータベースに登録する登録工程と、
前記記録媒体を前記ライブラリに入庫する際に、前記保管場所識別子および前記記録媒体識別子を読み取る読取工程と、
前記読取工程の読取結果と前記データベースに登録された情報とに基づいて、入庫管理を行うとともに、前記データベースに登録された情報に基づいて、前記コンテンツの消去または廃棄が可能な記録媒体のリストをユーザに閲覧させる制御工程と、
を含み、
前記記録媒体が廃棄の対象となるか否かは、廃棄候補の記録媒体に対して劣化状態を定量的に診断して劣化していると診断された場合に、廃棄の対象とすることを特徴とするライブラリ管理方法。
【請求項１１】
前記制御工程では、前記データベースに登録された前記保管場所識別子に基づいて、保管場所に関する情報をユーザに閲覧させることを特徴とする請求項１０に記載のライブラリ管理方法。
【請求項１２】
前記読取工程では、前記ライブラリから前記記録媒体を出庫する際に前記記録媒体識別子を読み取り、前記制御工程では、前記読取工程の読取結果と前記データベースに登録された情報とに基づいて、出庫管理を行うことを特徴とする請求項１０または１１に記載のライブラリ管理方法。
【請求項１３】
前記登録工程では、前記コンテンツと前記記録媒体との対応関係を表す対応関係情報を前記データベースに登録し、前記制御工程では、対応関係情報をユーザに閲覧させることを特徴とする請求項１０〜１２のいずれか一つに記載のライブラリ管理方法。
【請求項１４】
前記記録媒体の貸借状態を表す貸借情報を入力する貸借情報入力工程と、前記貸借情報をユーザに閲覧させる閲覧工程とを含むことを特徴とする請求項１２または１３に記載のライブラリ管理方法。
【請求項１５】
前記貸借情報には、貸借元の情報が含まれていることを特徴とする請求項１４に記載のライブラリ管理方法。
【請求項１６】
前記識別子発行工程では、前記保管場所識別子、前記記録媒体識別子をバーコードとして発行し、前記読取工程では、バーコードリーダにより前記バーコードを読み取ることを特徴とする請求項１０〜１５のいずれか一つに記載のライブラリ管理方法。
【請求項１７】
前記識別子発行工程では、前記記録媒体に設けられ前記記録媒体識別子に対応する数値ラベルを発行することを特徴とする請求項１６に記載のライブラリ管理方法。
【請求項１８】
前記識別子発行工程では、いずれのコンテンツも記録されていない空の記録媒体に対しても、前記記録媒体識別子を発行することを特徴とする請求項１０〜１７のいずれか一つに記載のライブラリ管理方法。
【請求項１９】
コンテンツをそれぞれ記録する複数の記録媒体を保管するライブラリの管理に適用されるライブラリ管理装置であって、
前記ライブラリにおける複数の保管場所をそれぞれ識別し当該保管場所に設けられる保管場所識別子、および前記複数の記録媒体をそれぞれ識別し当該記録媒体に設けられる記録媒体識別子を発行する識別子発行手段と、
少なくとも、前記保管場所識別子の情報、前記記録媒体識別子の情報、前記コンテンツの消去が可能か否かを示す消去可／不可の情報、前記コンテンツの消去可能日の情報、および前記記録媒体が廃棄の対象であるか否かを示す廃棄の情報をデータベースに登録する登録手段と、
前記記録媒体を前記ライブラリに入庫する際に、前記保管場所識別子および前記記録媒体識別子を読み取る読取手段と、
前記読取手段の読取結果と前記データベースに登録された情報とに基づいて、入庫管理を行う制御手段と、
を備え、
前記制御手段は、前記データベースに登録された情報に基づいて、前記コンテンツの消去または廃棄が可能な記録媒体のリストをユーザに閲覧させ、
前記記録媒体が廃棄の対象となるか否かは、廃棄候補の記録媒体に対して劣化状態を定量的に診断して劣化していると診断された場合に、廃棄の対象とすることを特徴とするライブラリ管理装置。
【請求項２０】
前記制御手段は、前記データベースに登録された前記保管場所識別子に基づいて、保管場所に関する情報をユーザに閲覧させることを特徴とする請求項１９に記載のライブラリ管理装置。
【請求項２１】
前記読取手段は、前記ライブラリから前記記録媒体を出庫する際に前記記録媒体識別子を読み取り、前記制御手段は、前記読取手段の読取結果と前記データベースに登録された情報とに基づいて、出庫管理を行うことを特徴とする請求項１９または２０に記載のライブラリ管理装置。
【請求項２２】
前記登録手段は、前記コンテンツと前記記録媒体との対応関係を表す対応関係情報を前記データベースに登録し、前記制御手段は、対応関係情報をユーザに閲覧させることを特徴とする請求項１９〜２１のいずれか一つに記載のライブラリ管理装置。
【請求項２３】
前記記録媒体の貸借状態を表す貸借情報を入力する貸借情報入力手段と、前記貸借情報をユーザに閲覧させる閲覧手段とを備えたことを特徴とする請求項２１または２２に記載のライブラリ管理装置。
【請求項２４】
前記貸借情報には、貸借元の情報が含まれていることを特徴とする請求項２３に記載のライブラリ管理装置。
【請求項２５】
前記識別子発行手段は、前記保管場所識別子、前記記録媒体識別子をバーコードとして発行し、前記読取手段は、前記バーコードを読み取るバーコードリーダであることを特徴とする請求項１９〜２４のいずれか一つに記載のライブラリ管理装置。
【請求項２６】
前記識別子発行手段は、前記記録媒体に設けられ前記記録媒体識別子に対応する数値ラベルを発行することを特徴とする請求項２５に記載のライブラリ管理装置。
【請求項２７】
前記識別子発行手段は、いずれのコンテンツも記録されていない空の記録媒体に対しても、前記記録媒体識別子を発行することを特徴とする請求項１９〜２６のいずれか一つに記載のライブラリ管理装置。
【発明の詳細な説明】
【０００１】
【発明の属する技術分野】
本発明は、映像記録用のテープや、その他情報を記録する記録媒体、書籍等を保管するライブラリを管理するためのライブラリ管理プログラム、ライブラリ管理方法およびライブラリ管理装置に関するものであり、特に、記録媒体の管理効率、再利用率、検索性の向上を図ることができるライブラリ管理プログラム、ライブラリ管理方法およびライブラリ管理装置に関するものである。
【０００２】
【従来の技術】
従来より、放送局では、映像や音声等の放送用コンテンツを記録する手段として、カセット型のテープを利用しており、その数は膨大なものとなっている。これらのテープは、保管棚を備えたライブラリに保管されている。
【０００３】
また、放送局では、ライブラリからのテープの出庫やライブラリへのテープの入庫を台帳ベースで管理してしている。従って、入庫時には、担当者が入庫するテープの情報を台帳に記述した後、所定の保管棚に当該テープを置く。出庫時には、担当者が出庫するテープをライブラリから探し出した後、当該テープの情報を台帳に記述している。
【０００４】
ここで、従来の放送局におけるテープの流れについて説明する。まず、放送局では、ブランクテープ、オリジナルテープ、オンエアテープ、リサイクルテープという四種類のテープが存在する。ブランクテープとは、新規購入された新品のテープをいう。従って、ブランクテープには、いずれの情報も記録されていない。
【０００５】
オリジナルテープとは、放送用コンテンツの著作権を有するライセンサから放送局に対して提供されるテープであって、当該放送用コンテンツが記録されたテープをいう。オンエアテープとは、実際の放送に用いられるテープであって、番組編成に基づいて、放送用コンテンツ、コマーシャル情報が編集されたテープをいう。リサイクルテープとは、オリジナルテープ、オンエアテープの記録内容が消去されたテープをいい、オンエアテープ等として再利用されるテープをいう。
【０００６】
従来の放送局において、ライブラリ管理担当者は、ライセンサよりオリジナルテープが届けられる毎に、当該オリジナルテープを台帳登録した後、ライブラリの所定の保管棚に逐次入庫する。
【０００７】
一方、編集担当者は、番組編成に基づいて、必要なオリジナルテープをライブラリから台帳管理の下で出庫した後、編成作業を進め、オンエアテープを作成する。この編集作業において、編集内容（放送用コンテンツ、コマーシャル情報等）は、ブランクテープ（またはリサイクルテープ）に記録される。従って、ブランクテープ（またはリサイクルテープ）は、編集後、オンエアテープとなる。このオンエアテープも台帳登録によりライブラリに入庫される。
【０００８】
また、放送運行担当者は、放送に必要なオンエアテープ（場合によっては、オリジナルテープ）を台帳登録により出庫し、このオンエアテープを実際の放送に使用する。そして、放送が終了すると、当該オンエアテープは、台帳管理の下でライブラリの所定の保管棚に入庫される。
【０００９】
ここで、放送局では、放送済みでかつ所定の期限が経過したオンエアテープや、契約上の利用許諾期限が切れたオリジナルテープについて記録内容を消去し、これらをリサイクルテープとして再利用している。なお、テープは、磁気ヘッドとの接触回数、接触時間や、テープ装置への挿脱回数等の様々な要因により、経年劣化が進む。このことから、放送局では、放送品質を維持すべく、例えば、３年間、再利用されたテープを一律に廃棄している。
【００１０】
【発明が解決しようとする課題】
ところで、前述したように、従来の放送局では、ライブラリにおけるテープの入出庫管理を台帳ベースで行っているため以下のような問題があった。
【００１１】
（１）台帳ベースの管理であるため、入庫、出庫の担当者に対して管理ルールを徹底させることが難しいため、テープが紛失したり、別の保管棚に入庫されてしまうという問題が発生する。
（２）この場合には、ライブラリにおけるテープの検索性が悪化するため、テープを探し出すのに非常に時間と手間がかかるとともに、本来の保管棚にテープを入庫するという作業にも非常に手間がかかり、管理効率が非常に悪くなる。
（３）不要なテープまたは消去可能なテープも長い間、ライブラリやライブラリ以外の場所に放置されるという事態が発生するため、ライブラリの利用効率やコストの面から好ましくない。
【００１２】
また、従来の放送局では、オリジナルテープの提供→オンエアテープの作成→ブランクテープ化（オリジナルテープおよびオンエアテープの記録内容の消去）→オンエアテープとしての再利用という一連のリサイクルの仕組みがある旨を述べた。このリサイクルの仕組みは、テープの入出庫管理が徹底されて初めて正常に機能するものである。
【００１３】
しかしながら、実際の放送局の現場では、入出庫の管理ルールが徹底されていないため、不要なテープまたは消去可能なテープも長い間、ライブラリやライブラリ以外の場所に放置されてしまう。従って、従来の放送局では、放置されたテープが不良資産になるとともに、テープの再利用率が低いという問題があった。
【００１４】
さらに、従来の放送局では、オリジナルテープやオンエアテープがライブラリで管理されている旨を述べた。これに対して、新規購入されたブランクテープは、ライブラリで特に管理されていない。これは、入出庫管理を台帳ベースで行っているため、オリジナルテープやオンエアテープという重要なテープの管理作業に追われ、ブランクテープの管理にまで手が回らないからである。従って、従来の放送局では、ブランクテープの資産管理も大きな課題の一つとなっている。
【００１５】
本発明は、上記に鑑みてなされたもので、記録媒体を保管するライブラリにおける管理効率、検索性を高めることができ、コストを低減させることができ、さらに記録媒体の再利用率や資産管理効率を高めることができるライブラリ管理プログラム、ライブラリ管理方法およびライブラリ管理装置を提供することを目的とする。
【００１６】
【課題を解決するための手段】
上記目的を達成するために、本発明によれば、コンテンツをそれぞれ記録する複数の記録媒体を保管するライブラリの管理に適用されるライブラリ管理プログラムであって、コンピュータを、前記ライブラリにおける複数の保管場所をそれぞれ識別し当該保管場所に設けられる保管場所識別子、および前記複数の記録媒体をそれぞれ識別し当該記録媒体に設けられる記録媒体識別子を発行する識別子発行手段、少なくとも、前記保管場所識別子の情報、前記記録媒体識別子の情報をデータベースに登録する登録手段、前記記録媒体を前記ライブラリに入庫する際に、前記保管場所識別子および前記記録媒体識別子を読み取る読取手段、前記読取手段の読取結果と前記データベースに登録された情報とに基づいて、入庫管理を行う制御手段として機能させるためのライブラリ管理プログラムである。
【００１７】
この発明によれば、ライブラリにおける複数の保管場所をそれぞれ識別し当該保管場所に設けられる保管場所識別子の情報と、複数の記録媒体をそれぞれ識別し当該記録媒体に設けられる記録媒体識別子の情報とをデータベースに登録しておき、記録媒体をライブラリに入庫する際に、保管場所識別子および記録媒体識別子の読取結果とデータベースの情報とに基づいて、入庫管理を行うようにしたので、従来の台帳ベース管理に比べて、保管場所の間違い、保管し忘れ等のケアレスミスを防止することができ、入庫管理の効率、検索性を高めることができる。
【００１８】
また、本発明によれば、前記制御手段は、前記データベースに登録された前記保管場所識別子に基づいて、保管場所に関する情報をユーザに閲覧させることを特徴とする。
【００１９】
この発明によれば、データベースに登録された保管場所識別子に基づいて、保管場所に関する情報をユーザに閲覧させるようにしたので、ユーザが正確な情報により入庫等を行うことができるため、入庫に伴うケアレスミスの発生をさらに防止することができる。
【００２０】
また、本発明によれば、前記読取手段は、前記ライブラリから前記記録媒体を出庫する際に前記記録媒体識別子を読み取り、前記制御手段は、前記読取手段の読取結果と前記データベースに登録された情報とに基づいて、出庫管理を行うことを特徴とする。
【００２１】
この発明によれば、ライブラリから記録媒体を出庫する際に記録媒体識別子を読み取り、この読取結果とデータベースに登録された情報とに基づいて、出庫管理を行うようにしたので、従来の台帳ベース管理に比べて、出庫ミスを防止することができ、出庫管理の効率、検索性を高めることができる。
【００２２】
また、本発明によれば、前記登録手段は、前記コンテンツと前記記録媒体との対応関係を表す対応関係情報を前記データベースに登録し、前記制御手段は、対応関係情報をユーザに閲覧させることを特徴とする。
【００２３】
この発明によれば、コンテンツと記録媒体との対応関係を表す対応関係情報をデータベースに登録しておき、この対応関係情報をユーザに閲覧させるようにしたので、コンテンツと記録媒体とを一体にかつ正確に管理することができ、コンテンツ管理効率を高めることができる。
【００２４】
また、本発明によれば、コンピュータを、前記記録媒体の貸借状態を表す貸借情報を入力する貸借情報入力手段、前記貸借情報をユーザに閲覧させる閲覧手段、として機能させることを特徴とする。
【００２５】
この発明によれば、記録媒体の貸借状態を表す貸借情報を入力し、この貸借情報をユーザに閲覧させるようにしたので、記録媒体がどのような貸借の状態にあるかを一目瞭然でユーザに認識させることができ、むやみに記録媒体を探すという無駄を回避することができる。
【００２６】
また、本発明によれば、前記貸借情報には、貸借元の情報が含まれていることを特徴とする。
【００２７】
この発明によれば、貸借情報に貸借元の情報も含ませるようにしたので、記録媒体の貸出し先、借入れ先をユーザが一目で知ることができるため、記録媒体の紛失を防止することができる。
【００２８】
また、本発明によれば、前記制御手段は、予め設定される条件を満たし、コンテンツの消去が可能な記録媒体のリストをユーザに閲覧させることを特徴とする。
【００２９】
この発明によれば、予め設定される条件を満たしコンテンツの消去が可能な記録媒体のリストをユーザに閲覧させるようにしたので、消去してもよい記録媒体とそうでない記録媒体とを明確にすることができ、記録媒体の再利用率を高めることができ、コスト削減を図ることができる。
【００３０】
また、本発明によれば、前記制御手段は、予め設定される条件を満たし、廃棄が可能な記録媒体のリストをユーザに閲覧させることを特徴とする。
【００３１】
この発明によれば、予め設定される条件を満たし廃棄が可能な記録媒体のリストをユーザに閲覧させるようにしたので、廃棄してもよい記録媒体とそうでない記録媒体とを明確にすることができ、記録媒体の廃棄によるライブラリの有効活用や廃棄テープのリサイクル化に貢献することができる。
【００３２】
また、本発明によれば、前記識別子発行手段は、前記保管場所識別子、前記記録媒体識別子をバーコードとして発行し、前記読取手段は、前記バーコードを読み取るバーコードリーダであることを特徴とする。
【００３３】
この発明によれば、保管場所識別子、前記記録媒体識別子をバーコードとして発行し、このバーコードをバーコードリーダにより読み取るようにしたので、ユーザのオペレーション効率を高めることができる。
【００３４】
また、本発明によれば、前記識別子発行手段は、前記記録媒体に設けられ前記記録媒体識別子に対応する数値ラベルを発行することを特徴とする。
【００３５】
この発明によれば、記録媒体識別子に対応する数値ラベルを記録媒体に設けるようにしたので、この数値ラベルによりユーザが目視で記録媒体識別子を確認することができるため、さらにケアレスミスを防止することができる。
【００３６】
また、本発明によれば、前記識別子発行手段は、いずれのコンテンツも記録されていない空の記録媒体に対しても、前記記録媒体識別子を発行することを特徴とする。
【００３７】
また、この発明によれば、コンテンツが記録された記録媒体に加えて、いずれのコンテンツも記録されていない空の記録媒体に対しても、前記記録媒体識別子を発行するようにしたので、従来、手つかずであった空の記録媒体の資産管理の効率を高めることができる。
【００３８】
また、本発明によれば、コンテンツをそれぞれ記録する複数の記録媒体を保管するライブラリの管理に適用されるライブラリ管理方法であって、前記ライブラリにおける複数の保管場所をそれぞれ識別し当該保管場所に設けられる保管場所識別子、および前記複数の記録媒体をそれぞれ識別し当該記録媒体に設けられる記録媒体識別子を発行する識別子発行工程と、少なくとも、前記保管場所識別子の情報、前記記録媒体識別子の情報をデータベースに登録する登録工程と、前記記録媒体を前記ライブラリに入庫する際に、前記保管場所識別子および前記記録媒体識別子を読み取る読取工程と、前記読取工程の読取結果と前記データベースに登録された情報とに基づいて、入庫管理を行う制御工程とを含むことを特徴とする。
【００３９】
この発明によれば、ライブラリにおける複数の保管場所をそれぞれ識別し当該保管場所に設けられる保管場所識別子の情報と、複数の記録媒体をそれぞれ識別し当該記録媒体に設けられる記録媒体識別子の情報とをデータベースに登録しておき、記録媒体をライブラリに入庫する際に、保管場所識別子および記録媒体識別子の読取結果とデータベースの情報とに基づいて、入庫管理を行うようにしたので、従来の台帳ベース管理に比べて、保管場所の間違い、保管し忘れ等のケアレスミスを防止することができ、入庫管理の効率、検索性を高めることができる。
【００４０】
また、本発明によれば、前記制御工程では、前記データベースに登録された前記保管場所識別子に基づいて、保管場所に関する情報をユーザに閲覧させることを特徴とする。
【００４１】
この発明によれば、データベースに登録された保管場所識別子に基づいて、保管場所に関する情報をユーザに閲覧させるようにしたので、ユーザが正確な情報により入庫等を行うことができるため、入庫に伴うケアレスミスの発生をさらに防止することができる。
【００４２】
また、本発明によれば、前記読取工程では、前記ライブラリから前記記録媒体を出庫する際に前記記録媒体識別子を読み取り、前記制御工程では、前記読取工程の読取結果と前記データベースに登録された情報とに基づいて、出庫管理を行うことを特徴とする。
【００４３】
この発明によれば、ライブラリから記録媒体を出庫する際に記録媒体識別子を読み取り、この読取結果とデータベースに登録された情報とに基づいて、出庫管理を行うようにしたので、従来の台帳ベース管理に比べて、出庫ミスを防止することができ、出庫管理の効率、検索性を高めることができる。
【００４４】
また、本発明によれば、前記登録工程では、前記コンテンツと前記記録媒体との対応関係を表す対応関係情報を前記データベースに登録し、前記制御工程では、対応関係情報をユーザに閲覧させることを特徴とする。
【００４５】
この発明によれば、コンテンツと記録媒体との対応関係を表す対応関係情報をデータベースに登録しておき、この対応関係情報をユーザに閲覧させるようにしたので、コンテンツと記録媒体とを一体にかつ正確に管理することができ、コンテンツ管理効率を高めることができる。
【００４６】
また、本発明によれば、前記記録媒体の貸借状態を表す貸借情報を入力する貸借情報入力工程と、前記貸借情報をユーザに閲覧させる閲覧工程とを含むことを特徴とする。
【００４７】
この発明によれば、記録媒体の貸借状態を表す貸借情報を入力し、この貸借情報をユーザに閲覧させるようにしたので、記録媒体がどのような貸借の状態にあるかを一目瞭然でユーザに認識させることができ、むやみに記録媒体を探すという無駄を回避することができる。
【００４８】
また、本発明によれば、前記貸借情報には、貸借元の情報が含まれていることを特徴とする。
【００４９】
この発明によれば、貸借情報に貸借元の情報も含ませるようにしたので、記録媒体の貸出し先、借入れ先をユーザが一目で知ることができるため、記録媒体の紛失を防止することができる。
【００５０】
また、本発明によれば、前記制御工程では、予め設定される条件を満たし、コンテンツの消去が可能な記録媒体のリストをユーザに閲覧させることを特徴とする。
【００５１】
この発明によれば、予め設定される条件を満たしコンテンツの消去が可能な記録媒体のリストをユーザに閲覧させるようにしたので、消去してもよい記録媒体とそうでない記録媒体とを明確にすることができ、記録媒体の再利用率を高めることができ、コスト削減を図ることができる。
【００５２】
また、本発明によれば、前記制御工程では、予め設定される条件を満たし、廃棄が可能な記録媒体のリストをユーザに閲覧させることを特徴とする。
【００５３】
この発明によれば、予め設定される条件を満たし廃棄が可能な記録媒体のリストをユーザに閲覧させるようにしたので、廃棄してもよい記録媒体とそうでない記録媒体とを明確にすることができ、記録媒体の廃棄によるライブラリの有効活用や廃棄テープのリサイクル化に貢献することができる。
【００５４】
また、本発明によれば、前記識別子発行工程では、前記保管場所識別子、前記記録媒体識別子をバーコードとして発行し、前記読取工程では、バーコードリーダにより前記バーコードを読み取ることを特徴とする。
【００５５】
この発明によれば、保管場所識別子、前記記録媒体識別子をバーコードとして発行し、このバーコードをバーコードリーダにより読み取るようにしたので、ユーザのオペレーション効率を高めることができる。
【００５６】
また、本発明によれば、前記識別子発行工程では、前記記録媒体に設けられ前記記録媒体識別子に対応する数値ラベルを発行することを特徴とする。
【００５７】
この発明によれば、記録媒体識別子に対応する数値ラベルを記録媒体に設けるようにしたので、この数値ラベルによりユーザが目視で記録媒体識別子を確認することができるため、さらにケアレスミスを防止することができる。
【００５８】
また、本発明によれば、前記識別子発行工程では、いずれのコンテンツも記録されていない空の記録媒体に対しても、前記記録媒体識別子を発行することを特徴とする。
【００５９】
また、この発明によれば、コンテンツが記録された記録媒体に加えて、いずれのコンテンツも記録されていない空の記録媒体に対しても、前記記録媒体識別子を発行するようにしたので、従来、手つかずであった空の記録媒体の資産管理の効率を高めることができる。
【００６０】
また、本発明によれば、コンテンツをそれぞれ記録する複数の記録媒体を保管するライブラリの管理に適用されるライブラリ管理装置であって、前記ライブラリにおける複数の保管場所をそれぞれ識別し当該保管場所に設けられる保管場所識別子、および前記複数の記録媒体をそれぞれ識別し当該記録媒体に設けられる記録媒体識別子を発行する識別子発行手段と、少なくとも、前記保管場所識別子の情報、前記記録媒体識別子の情報をデータベースに登録する登録手段と、前記記録媒体を前記ライブラリに入庫する際に、前記保管場所識別子および前記記録媒体識別子を読み取る読取手段と、前記読取手段の読取結果と前記データベースに登録された情報とに基づいて、入庫管理を行う制御手段とを備えたことを特徴とする。
【００６１】
この発明によれば、ライブラリにおける複数の保管場所をそれぞれ識別し当該保管場所に設けられる保管場所識別子の情報と、複数の記録媒体をそれぞれ識別し当該記録媒体に設けられる記録媒体識別子の情報とをデータベースに登録しておき、記録媒体をライブラリに入庫する際に、保管場所識別子および記録媒体識別子の読取結果とデータベースの情報とに基づいて、入庫管理を行うようにしたので、従来の台帳ベース管理に比べて、保管場所の間違い、保管し忘れ等のケアレスミスを防止することができ、入庫管理の効率、検索性を高めることができる。
【００６２】
また、本発明によれば、前記制御手段は、前記データベースに登録された前記保管場所識別子に基づいて、保管場所に関する情報をユーザに閲覧させることを特徴とする。
【００６３】
この発明によれば、データベースに登録された保管場所識別子に基づいて、保管場所に関する情報をユーザに閲覧させるようにしたので、ユーザが正確な情報により入庫等を行うことができるため、入庫に伴うケアレスミスの発生をさらに防止することができる。
【００６４】
また、本発明によれば、前記読取手段は、前記ライブラリから前記記録媒体を出庫する際に前記記録媒体識別子を読み取り、前記制御手段は、前記読取手段の読取結果と前記データベースに登録された情報とに基づいて、出庫管理を行うことを特徴とする。
【００６５】
この発明によれば、ライブラリから記録媒体を出庫する際に記録媒体識別子を読み取り、この読取結果とデータベースに登録された情報とに基づいて、出庫管理を行うようにしたので、従来の台帳ベース管理に比べて、出庫ミスを防止することができ、出庫管理の効率、検索性を高めることができる。
【００６６】
また、本発明によれば、前記登録手段は、前記コンテンツと前記記録媒体との対応関係を表す対応関係情報を前記データベースに登録し、前記制御手段は、対応関係情報をユーザに閲覧させることを特徴とする。
【００６７】
この発明によれば、コンテンツと記録媒体との対応関係を表す対応関係情報をデータベースに登録しておき、この対応関係情報をユーザに閲覧させるようにしたので、コンテンツと記録媒体とを一体にかつ正確に管理することができ、コンテンツ管理効率を高めることができる。
【００６８】
また、本発明によれば、前記記録媒体の貸借状態を表す貸借情報を入力する貸借情報入力手段と、前記貸借情報をユーザに閲覧させる閲覧手段とを備えたことを特徴とする。
【００６９】
この発明によれば、記録媒体の貸借状態を表す貸借情報を入力し、この貸借情報をユーザに閲覧させるようにしたので、記録媒体がどのような貸借の状態にあるかを一目瞭然でユーザに認識させることができ、むやみに記録媒体を探すという無駄を回避することができる。
【００７０】
また、本発明によれば、前記貸借情報には、貸借元の情報が含まれていることを特徴とする。
【００７１】
この発明によれば、貸借情報に貸借元の情報も含ませるようにしたので、記録媒体の貸出し先、借入れ先をユーザが一目で知ることができるため、記録媒体の紛失を防止することができる。
【００７２】
また、本発明によれば、前記制御手段は、予め設定される条件を満たし、コンテンツの消去が可能な記録媒体のリストをユーザに閲覧させることを特徴とする。
【００７３】
この発明によれば、予め設定される条件を満たしコンテンツの消去が可能な記録媒体のリストをユーザに閲覧させるようにしたので、消去してもよい記録媒体とそうでない記録媒体とを明確にすることができ、記録媒体の再利用率を高めることができ、コスト削減を図ることができる。
【００７４】
また、本発明によれば、前記制御手段は、予め設定される条件を満たし、廃棄が可能な記録媒体のリストをユーザに閲覧させることを特徴とする。
【００７５】
この発明によれば、予め設定される条件を満たし廃棄が可能な記録媒体のリストをユーザに閲覧させるようにしたので、廃棄してもよい記録媒体とそうでない記録媒体とを明確にすることができ、記録媒体の廃棄によるライブラリの有効活用や廃棄テープのリサイクル化に貢献することができる。
【００７６】
また、本発明によれば、前記識別子発行手段は、前記保管場所識別子、前記記録媒体識別子をバーコードとして発行し、前記読取手段は、前記バーコードを読み取るバーコードリーダであることを特徴とする。
【００７７】
この発明によれば、保管場所識別子、前記記録媒体識別子をバーコードとして発行し、このバーコードをバーコードリーダにより読み取るようにしたので、ユーザのオペレーション効率を高めることができる。
【００７８】
また、本発明によれば、前記識別子発行手段は、前記記録媒体に設けられ前記記録媒体識別子に対応する数値ラベルを発行することを特徴とする。
【００７９】
この発明によれば、記録媒体識別子に対応する数値ラベルを記録媒体に設けるようにしたので、この数値ラベルによりユーザが目視で記録媒体識別子を確認することができるため、さらにケアレスミスを防止することができる。
【００８０】
また、本発明によれば、前記識別子発行手段は、いずれのコンテンツも記録されていない空の記録媒体に対しても、前記記録媒体識別子を発行することを特徴とする。
【００８１】
また、この発明によれば、コンテンツが記録された記録媒体に加えて、いずれのコンテンツも記録されていない空の記録媒体に対しても、前記記録媒体識別子を発行するようにしたので、従来、手つかずであった空の記録媒体の資産管理の効率を高めることができる。
【００８２】
【発明の実施の形態】
以下、図面を参照して本発明にかかるライブラリ管理プログラム、ライブラリ管理方法およびライブラリ管理装置の一実施の形態について詳細に説明する。
【００８３】
図１は、本発明にかかる一実施の形態の構成を示すブロック図である。この図には、カセット型の複数のテープを保管するためのライブラリ１０と、このライブラリ１０におけるテープの入庫および出庫に関する管理を行うためのライブラリ管理システム２０と、ネットワーク１３０を介してライブラリ管理システム２０にアクセスするためのｎ台のクライアント１２０1 〜１２０n とが図示されている。
【００８４】
ここで、一実施の形態では、ＣＳ（Communication Satellite）放送、ＢＳ（Broadcast Satellite）放送、地上波放送等を実施する放送局で用いられるコンテンツ（映像コンテンツ、音声コンテンツ、データコンテンツ等）を記録したカセット型のテープ（前述したオンエアテープ、オリジナルテープ）や、コンテンツが記録されていないテープ（前述したブランクテープ、リサイクルテープ）を管理対象の一例として説明する。
【００８５】
ライブラリ１０において、テープ保管棚群１４０は、複数本のテープをそれぞれ保管するテープ保管棚１５０1 〜１５０m の集合体である。これらのテープ保管棚１５０1 〜１５０m においては、一つ当たり、例えば、２６本のテープを保管するだけの収容能力を有している。
【００８６】
また、これらのテープ保管棚１５０1 〜１５０m のそれぞれには、保管場所を特定するための１０桁の「０００００００００１」〜「９９９９９９９９９９」までの保管場所番号のうちいずれか一つの保管場所番号がそれぞれ付与されている。テープ保管棚１５０1 〜１５０m のそれぞれには、上記保管場所番号「０００００００００１」〜「９９９９９９９９９９」がそれぞれ印字された保管場所番号シール（図示略）が貼着されている。これにより、カセットの管理担当者は、上記保管場所番号に基づいて、カセットの入庫および出庫を行う。
【００８７】
場所バーコード１６０1 〜１６０m は、保管場所番号「０００００００００１」〜「９９９９９９９９９９」がバーコード表記されてなり、テープ保管棚１５０1 〜１５０m に貼着されている。これらの場所バーコード１６０1 〜１６０m は、後述するハンディ型バーコードリーダ６０により光学的に読み取られる。
【００８８】
ライブラリ管理システム２０は、ライブラリ１０におけるテープの入庫や出庫等を管理するためのシステムであり、ライブラリ管理部３０、ハンディ型バーコードリーダ６０および印刷部７０から構成されている。ライブラリ管理部３０は、テープ情報の登録、テープ管理用のバーコードの発行、テープ貸借管理等を行うものである。
【００８９】
図２は、図１に示したライブラリ管理システム２０の構成を示すブロック図である。この図において、図１の各部に対応する部分には同一の符号を付ける。同図に示したライブラリ管理システム２０において、通信制御部３１は、ＴＣＰ／ＩＰ（Transmission Control Protocol/Internet Protocol）に従って、ネットワーク１３０を介して、クライアント１２０1 〜１２０n との間の通信制御を行う。ネットワーク１３０は、ＬＡＮ（Local Area Network）、イントラネット、インターネット等である。
【００９０】
クライアント１２０1 〜１２０n のそれぞれは、ネットワーク１３０を介してライブラリ管理システム２０にアクセスすることにより、後述する各種画面（図２６〜図４０）の表示や、各種入力を行うための端末である。これらのクライアント１２０1 〜１２０n のそれぞれには、ブラウザと呼ばれる画面閲覧用のソフトウェアプログラムが実装されている。また、これらのクライアント１２０1 〜１２０n のそれぞれは、コンピュータ本体、ディスプレイ、キーボード、マウス等から構成されている。
【００９１】
入力部３２は、キーボード、マウス、タッチパネル等の入力デバイスであり、ライブラリ管理に必要な各種情報の入力に用いられる。表示部３３は、ＬＣＤ（Liquid Crystal Display）、ＣＲＴ（Cathode-Ray Tube）等であり、後述する各種画面（図２６〜図４０）を表示する。
【００９２】
バーコード関連制御部３４は、図１および図３に示したテープバーコード８０s、番号ラベル９０s およびタイトルラベル１００s（バーコード関連物）の印刷制御や、テープバーコード８０s、場所バーコード１６０1 〜１６０m（図１参照）のバーコード認識制御を行う。図３（ａ）に示したテープバーコード８０sは、テープ１１０s（図１参照）を識別するためのユニークなテープ番号（同図では、９９０００２０１）がバーコード化されてなる。
【００９３】
図３（ｂ）に示した番号ラベル９０s は、上記テープ番号（同図では、９９０００２０１）が印字されてなる。図３（ｃ）に示したタイトルラベル１００s は、テープタイトルが印字されてなる。これらのテープバーコード８０s 、番号ラベル９０s およびタイトルラベル１００s は、バーコード関連制御部３４の制御により、印刷部７０で印刷された後、新規登録のテープ１１０s （図１参照）に貼着される。
【００９４】
なお、図１に示した他のテープ１１０1 〜１１０x（テープ１１０sを除く）のそれぞれにも、テープバーコード８０s 、番号ラベル９０s およびタイトルラベル１００s と同様のテープバーコード、番号ラベルおよびタイトルラベルが貼着されている。
【００９５】
図２に戻り、無線インタフェース部３５は、無線を介してハンディ型バーコードリーダ６０の通信インタフェースを採るものである。ハンディ型バーコードリーダ６０は、ライブラリ管理者により把持された状態で操作され、図１に示したテープ１１０1 〜１１０x にそれぞれ貼着されたテープバーコード（例えば、テープバーコード８０s ）や、場所バーコード１６０1 〜１６０m を光学的に読み取る。
【００９６】
また、ハンディ型バーコードリーダ６０は、読み取り結果を無線を介して無線インタフェース部３５へ送信する。なお、一実施の形態では、ワイヤレス方式のハンディ型バーコードリーダ６０を用いた例について説明したが、ライブラリ管理部３０と有線接続されるバーコードリーダを用いてもよい。
【００９７】
印刷インタフェース部３６は、印刷部７０のインタフェースを採るものである。印刷部７０は、レーザプリンタ、インクジェットプリンタ等であり、上述したテープバーコード、番号ラベル、 タイトルラベル（図１に示した例では、テープバーコード８０s 、番号ラベル９０s およびタイトルラベル１００s ）や、場所バーコード１６０1 〜１６０m 、各種帳票データ等を印刷する。
【００９８】
素材情報入力・照会処理部３７は、テープ情報の入力、照会を行うための素材情報入力・照会処理を実行する。テープ処理出力処理部３８は、テープに記録された内容を消去、所定年数を経過したテープを廃棄するためのテープ処理出力処理を実行する。なお、消去されたテープは、リサイクルテープ（ブランクテープ）として再利用される。テープ貸借情報入力処理部３９は、ライブラリ１０内のテープの貸借情報の入力や、貸借管理等のテープ貸借情報入力処理を実行する。画面生成部４０は、後述する各種画面（図２６〜図４０参照）を生成する。
【００９９】
データベース制御部４１は、バーコード関連制御部３４、素材情報入力・照会処理部３７、テープ処理出力処理部３８およびテープ貸借情報入力処理部３９によりアクセスされるブランクテープ情報データベース２００、コンテンツ用テープ情報データベース２１０、貸借テープ情報データベース２２０、借入れ情報データベース２３０、社内持出情報データベース２４０、借入情報データベース２５０および社外貸出情報データベース２６０へのアクセス制御を行う。
【０１００】
棚卸し処理部４３は、ライブラリ１０におけるテープの所在確認の精度を高めることを目的とした棚卸しに関する処理を実行する。ここでいう棚卸し作業とは、コンテンツ用テープ情報データベース２１０（図５参照）のテープおよび保管場所情報と、現実のライブラリ１０におけるテープおよび保管場所との整合性を採るための作業をいう。バス４３は、各部を接続するインタフェースである。
【０１０１】
ブランクテープ情報データベース２００は、ブランクテープ（空きのテープ）に関する情報（以下、ブランクテープ情報という）を格納するデータベースである。具体的には、図４に示したように、ブランクテープ情報データベース２００は、ブランクテープ情報として「Ｔａｐｅ  Ｎｏ．」、「テープタイトル」、「テープ規格」、「テープ尺」および「備考」というフィールドを備えている。
【０１０２】
「Ｔａｐｅ  Ｎｏ．」は、テープを識別するためのユニークな番号に関する情報であり、自動採番される。「テープタイトル」は、当該テープのタイトルに関する情報である。「テープ規格」は、当該テープの規格に関する情報である。「テープ尺」は、当該テープの長さに関する情報である。「備考」は、当該テープの備考／注釈に関する情報である。
【０１０３】
図２に戻り、コンテンツ用テープ情報データベース２１０は、ブランクテープ（またはリサイクルテープ）にコンテンツが記録されたオンエアテープまたはオリジナルテープ（以下では、総称してコンテンツ用テープともいう）に関する情報（以下、コンテンツ用テープ情報という）を格納するデータベースである。具体的には、図５に示したように、コンテンツ用テープ情報データベース２１０は、コンテンツ用テープ情報として、「Ｔａｐｅ  Ｎｏ．」、「テープ種別」、「テープ尺」、「保管場所」、「テープ規格」、・・・、「消去可」、「消去不可」、「消去可能日」、「消去」、「廃棄」というフィールドを備えている。
【０１０４】
「Ｔａｐｅ  Ｎｏ．」は、テープを識別するためのユニークな番号に関する情報であり、自動採番される。「テープ種別」は、テープの種別（オリジナルテープ、オンエアテープ）に関する情報である。「テープ尺」は、当該テープの長さに関する情報である。「保管場所」は、当該テープの保管場所に関する情報であり、図１に示した保管場所番号「０００００００００１」〜「９９９９９９９９９９」のうちいずれか一つの番号に対応している。
【０１０５】
「テープ規格」は、テープの規格に関する情報である。「消去可」は、当該テープに記録された内容を消去することが許可されていることを表す消去可フラグに関する情報である。「消去不可」は、当該テープに記録された内容を消去することが許可されていないことを表す消去不可フラグに関する情報である。
【０１０６】
「消去可能日」は、当該テープに記録された内容を実際に消去できる日付に関する情報である。「消去」は、当該テープに記録された内容が消去されることを表す消去フラグに関する情報である。「廃棄」は、当該テープが破棄されることを表す廃棄フラグに関する情報である。
【０１０７】
図２に戻り、貸借テープ情報データベース２２０は、ライブラリ１０内のテープの貸借に関する情報（以下、貸借テープ情報という）を格納するデータベースである。具体的には、図６に示したように、貸借テープ情報データベース２２０は、貸借テープ情報として、「Ｔａｐｅ  Ｎｏ．」、「借入」、「貸借ステータス」、「タイプ」、「テープ種別」、「テープタイトル」、「タイトル」、「Ｍａｔ．Ｉｄ」、「リール」、「貸借日」、「担当者」、「相手先／用途」、「返却予定」および「返却日」というフィールドを備えている。
【０１０８】
「Ｔａｐｅ  Ｎｏ．」は、テープを識別するためのユニークな番号に関する情報であり、自動採番される。「借入」は、当該テープが社外から借り入れたものであるか否かを表すフラグに関する情報である。「貸借ステータス」は、テープが、貸出中、借り入れ中、社内持出中、借入→持出、借入→貸出のいずれかの状態にあるかを表す情報である。
【０１０９】
「タイプ」は、テープのタイプに関する情報である。「テープ種別」は、テープの種別に関する情報である。「テープタイトル」は、テープのタイトルに関する情報である。「タイトル」は、放送番組のタイトルに関する情報である。「Ｍａｔ．Ｉｄ」は、番組送出機で放送内容を一意に特定するためのＩＤに関する情報である。「リール」は、テープが複数本に亘る場合の当該巻／全巻を表す情報である。
【０１１０】
「貸借日」は、テープを貸し出した日または借り入れた日を表す情報である。「担当者」は、テープを持ち出した社内（放送局）の担当者に関する情報である。「相手先／用途」は、テープを社外に貸し出した場合の相手先、およびその用途を表す情報である。「返却予定」は、当該テープの返却予定日に関する情報である。「返却日」は、当該テープが実際に返却された日に関する情報である。
【０１１１】
図２に戻り、借入れ情報データベース２３０は、テープを他社から借りた場合の借入れ情報を格納するデータベースである。具体的には、図７に示したように、借入れ情報データベース２３０は、借入れ情報として、「借受日」、「担当者」、「取引先担当者」、「ＴＥＬ」、「会社名」および「返却予定日」というフィールドを備えている。
【０１１２】
「借受日」は、他社からテープを借りた日に関する情報である。「担当者」は、当該テープを借りた社内の担当者に関する情報である。「取引先担当者」は、他社の担当者に関する情報である。「ＴＥＬ」は、他社の電話番号に関する情報である。「会社名」は、他社の名称に関する情報である。「返却予定日」は、当該テープを返却する予定日に関する情報である。
【０１１３】
図２に戻り、社内持出情報データベース２４０は、ライブラリ１０から社内にテープを持ち出す際の社内持出情報を格納するデータベースである。具体的には、図８に示したように、社内持出情報データベース２４０は、社内持出情報として、「持出日」、「用途」、「担当者」、「返却予定日」、「返却日」および「ポインタ」というフィールドを備えている。
【０１１４】
「持出日」は、社内担当者がテープを持ち出した日に関する情報である。「用途」は、当該テープの用途（ＯＡ（オンエア）、編集、ダビング、ファイリング、等）に関する情報である。「担当者」は、当該テープを持ち出した社内担当者に関する情報である。
【０１１５】
「返却予定日」は、当該テープを返却する日に関する情報である。「返却日」は、当該テープを実際に返却した日に関する情報である。「ポインタ」は、図５に示したコンテンツ用テープ情報データベース２１０において当該テープに対応するコンテンツ用テープ情報との対応を表すポインタに関する情報である。
【０１１６】
図２に戻り、借入情報データベース２５０は、社外からテープを借り入れた際の借入情報を格納するデータベースである。具体的には、図９に示したように、借入情報データベース２５０は、借入情報として、「借入日」、「担当者」、「返却予定日」、「返却日」、「借入先担当者」、「ＴＥＬ」、「会社名」および「ポインタ」というフィールドを備えている。
【０１１７】
「借入日」は、社外からテープを借り入れた日を表す情報である。「担当者」は、当該テープを借りた社内担当者に関する情報である。「返却予定日」は、当該テープを社外に返却する予定日に関する情報である。「返却日」は、実際に当該テープを社外に返却した日に関する情報である。「借入先担当者」は、借入先（社外）の担当者に関する情報である。
【０１１８】
「ＴＥＬ」は、当該テープを所有する会社の電話番号に関する情報である。「会社名」は、上記会社の名称に関する情報である。「ポインタ」は、図５に示したコンテンツ用テープ情報データベース２１０において当該テープに対応するコンテンツ用テープ情報との対応を表すポインタに関する情報である。
【０１１９】
図２に戻り、社外貸出情報データベース２６０は、ライブラリ１０から社外にテープを貸し出した際の社外貸出情報を格納するデータベースである。具体的には、図１０に示したように、社外貸出情報データベース２６０は、社外貸出情報として、「貸出日」、「担当者」、「返却予定日」、「返却日」、「貸出先担当者」、「ＴＥＬ」、「会社名」および「ポインタ」というフィールドを備えている。
【０１２０】
「貸出日」は、社外に当該テープを貸し出した日に関する情報である。「担当者」は、当該テープの貸し出しに際しての社内担当者に関する情報である。「返却予定日」は、当該テープが返却される予定日に関する情報である。「返却日」は、当該テープが実際に返却された日に関する情報である。「貸出先担当者」は、当該テープの貸出先（社外）の担当者に関する情報である。
【０１２１】
「ＴＥＬ」は、当該テープの貸出先（社外）の電話番号に関する情報である。「会社名」は、当該テープの貸出先（社外）の名称に関する情報である。「ポインタ」は、図５に示したコンテンツ用テープ情報データベース２１０において当該テープに対応するコンテンツ用テープ情報との対応を表すポインタに関する情報である。
【０１２２】
つぎに、前述した一実施の形態の動作について、図１１〜図２５に示したフローチャートおよび図２６〜図４０に示した各種画面を参照しつつ詳述する。図２に示したライブラリ管理システム２０が起動されると、表示部３３には、図２６に示したライブラリメインメニュー画面３００が表示される。
【０１２３】
このライブラリメインメニュー画面３００は、素材情報入力・照会処理、テープ処理出力処理、テープ貸借情報入力・照会処理という三つの処理の中から所望の処理を選択するためのメニュー画面である。また、ライブラリメインメニュー画面３００には、素材情報入力・照会ボタン３０１、テープ処理出力ボタン３０２およびテープ貸借情報入力・照会ボタン３０３が表示されている。
【０１２４】
素材情報入力・照会ボタン３０１は、素材情報入力・照会処理を選択するためのボタンである。テープ処理出力ボタン３０２は、テープ処理出力処理を選択するためのボタンである。テープ貸借情報入力・照会ボタン３０３は、テープ貸借情報入力・照会処理を選択するためのボタンである。また、クライアント１２０1 〜１２０n がネットワーク１３０を介して、ライブラリ管理部３０にアクセスした場合には、クライアント１２０1 〜１２０n のそれぞれの表示部（図示略）にもライブラリメインメニュー画面３００が表示される。
【０１２５】
図１１に示したステップＳＡ１では、素材情報入力・照会処理部３７は、素材情報入力・照会ボタン３０１が押下されたか否かを判断する。この判断結果が「Ｙｅｓ」である場合、素材情報入力・照会処理部３７は、ステップＳＡ４で素材情報入力・照会処理を実行する。
【０１２６】
この場合、ステップＳＡ１の判断結果が「Ｎｏ」であるものとすると、ステップＳＡ２では、テープ処理出力処理部３８は、テープ処理出力ボタン３０２が押下されたか否かを判断する。この判断結果が「Ｙｅｓ」である場合、テープ処理出力処理部３８は、ステップＳＡ５でテープ処理出力処理を実行する。
【０１２７】
この場合、ステップＳＡ２の判断結果が「Ｎｏ」であるものとすると、ステップＳＡ３では、テープ貸借情報入力処理部３９は、テープ貸借情報入力・照会ボタン３０３が押下されたか否かを判断する。この判断結果が「Ｙｅｓ」である場合、テープ貸借情報入力処理部３９は、ステップＳＡ６でテープ貸借情報入力処理を実行する。この場合、ステップＳＡ３の判断結果が「Ｎｏ」であるものとすると、ステップＳＡ１〜ステップＳＡ３の各判断が繰り返される。
【０１２８】
ここで、ライブラリ管理担当者により、入力部３２を用いて素材情報入力・照会ボタン３０１が押下されると、素材情報入力・照会処理部３７は、ステップＳＡ１の判断結果を「Ｙｅｓ」とする。ステップＳＡ４では、素材情報入力・照会処理部３７は、素材情報入力・照会処理を実行する。
【０１２９】
すなわち、図１２に示したステップＳＢ１では、素材情報入力・照会処理部３７は、図２７に示した素材情報入力・照会メニュー画面４００を表示部３３に表示させる。この素材情報入力・照会メニュー画面４００は、前述したブランクテープ情報の入力・照会を行うためのブランクテープ情報入力・照会処理、コンテンツ用テープ情報の入力・照会を行うためのコンテンツ用テープ情報入力・照会処理のうちいずれかを選択するための画面である。
【０１３０】
また、素材情報入力・照会メニュー画面４００には、ブランクテープ情報入力・照会ボタン４０１、コンテンツ用テープ情報入力・照会ボタン４０２およびメニューボタン４０３が表示されている。ブランクテープ情報入力・照会ボタン４０１は、ブランクテープ情報入力・照会処理を選択するためのボタンである。コンテンツ用テープ情報入力・照会ボタン４０２は、コンテンツ用テープ情報入力・照会処理を選択するためのボタンである。メニューボタン４０３は、ライブラリメインメニュー画面３００（図２６参照）に画面遷移するためのボタンである。
【０１３１】
図１２に示したステップＳＢ２では、素材情報入力・照会処理部３７は、ブランクテープ情報入力・照会ボタン４０１が押下されたか否かを判断する。この判断結果が「Ｙｅｓ」である場合、ステップＳＢ５では、素材情報入力・照会処理部３７は、ブランクテープ情報入力・照会処理を実行する。
【０１３２】
この場合、ステップＳＢ２の判断結果が「Ｎｏ」であるものとすると、ステップＳＢ３では、素材情報入力・照会処理部３７は、コンテンツ用テープ情報入力・照会ボタン４０２が押下されたか否かを判断する。この判断結果が「Ｙｅｓ」である場合、ステップＳＢ６では、素材情報入力・照会処理部３７は、コンテンツ用テープ情報入力・照会処理を実行する。
【０１３３】
この場合、ステップＳＢ３の判断結果が「Ｎｏ」であるものとすると、ステップＳＢ４では、素材情報入力・照会処理部３７は、メニューボタン４０３が押下されたか否かを判断する。この判断結果が「Ｙｅｓ」である場合、素材情報入力・照会処理部３７は、図１１に示したルーチンに戻る。この場合、ステップＳＢ４の判断結果が「Ｎｏ」であるものとすると、素材情報入力・照会処理部３７は、ステップＳＢ２〜ステップＳＢ４の各判断を繰り返す。
【０１３４】
ここで、ライブラリ管理担当者が図１に示した新規のテープ１１０s（ブランクテープ）に関するブランクテープ情報を登録する場合について説明する。この場合、ライブラリ管理担当者は、入力部３２を用いて、図２７に示したブランクテープ情報入力・照会ボタン４０１を押下する。これにより、素材情報入力・照会処理部３７は、図１２に示したステップＳＢ２の判断結果を「Ｙｅｓ」とする。
【０１３５】
ステップＳＢ５では、素材情報入力・照会処理部３７は、ブランクテープ情報入力・照会処理を実行する。すなわち、図１３に示したステップＳＣ１では、素材情報入力・照会処理部３７は、図２８に示したブランクテープリスト画面５００を表示部３３に表示させる。このブランクテープリスト画面５００は、ブランクテープ情報データベース２００（図４参照）に格納済みのブランクテープに関するブランクテープ情報のリストを検索・表示するとともに、新規のブランクテープのブランクテープ情報を登録するための画面である。
【０１３６】
このブランクテープリスト画面５００には、検索条件入力欄５０１、検索ボタン５０２、ブランクテープ情報表示欄５０３、新規ボタン５０４および戻るボタン５０５が表示されている。検索条件入力欄５０１は、ブランクテープ情報データベース２００（図４参照）から所望のブランクテープ情報を検索するための検索条件（検索キー）を入力するための欄である。
【０１３７】
検索条件としては、「Ｔａｐｅ  Ｎｏ．」、「テープタイトル」、「テープ規格」、「テープ尺」が挙げられる。検索ボタン５０２は、検索条件に基づいて、ブランクテープ情報データベース２００内の検索を開始するためのボタンである。ブランクテープ情報表示欄５０３は、検索結果を表示するための欄である。新規ボタン５０４は、新規のブランクテープに関するブランクテープ情報を登録するためのボタンである。戻るボタン５０５は、前画面に画面遷移させるためのボタンである。
【０１３８】
図１３に示したステップＳＣ２では、素材情報入力・照会処理部３７は、新規ボタン５０４が押下されたか否かを判断し、この場合、判断結果を「Ｎｏ」とする。ステップＳＣ３では、素材情報入力・照会処理部３７は、検索ボタン５０２が押下されたか否かを判断し、この場合、判断結果を「Ｎｏ」として、ステップＳＣ２以降の判断を繰り返す。
【０１３９】
ここで、ライブラリ管理担当者により、新規ボタン５０４が押下されると、素材情報入力・照会処理部３７は、ステップＳＣ２の判断結果を「Ｙｅｓ」とする。ステップＳＣ６では、素材情報入力・照会処理部３７は、図２９に示したブランクテープ情報入力画面６００を表示部３３に表示させる。
【０１４０】
このブランクテープ情報入力画面６００は、ブランクテープ情報を入力するための画面である。ブランクテープ情報入力画面６００には、ブランクテープ情報入力欄６０１、保存ボタン６０２および戻るボタン６０３が表示されている。
【０１４１】
ブランクテープ情報入力欄６０１は、当該ブランクテープに関するブランクテープ情報、すなわち「Ｔａｐｅ  Ｎｏ．」、「テープタイトル」、「テープ規格」、「テープ尺」および「備考」をそれぞれ入力するための欄である。なお、「Ｔａｐｅ  Ｎｏ．」は、自動採番される。保存ボタン６０２は、ブランクテープ情報入力欄６０１に入力されたブランクテープ情報をブランクテープ情報データベース２００（図４参照）に格納するためのボタンである。
【０１４２】
図１３に示したステップＳＣ７では、ブランクテープ情報入力処理が実行される。すなわち、ライブラリ管理担当者は、入力部３２を用いて、図２９に示したブランクテープ情報入力欄６０１の各入力欄にブランクテープ情報をそれぞれ入力した後、保存ボタン６０２を押下する。これにより、素材情報入力・照会処理部３７は、入力されたブランクテープ情報をブランクテープ情報データベース２００（図４参照）に格納する。ここで、同一種類の複数のブランクテープを登録する場合には、一つのブランクテープの情報を登録した後、ブランクテープの本数を入力すればよい。
【０１４３】
また、図２８に示したブランクテープリスト画面５００にブランクテープリストを表示させる場合、ライブラリ管理担当者は、入力部３２を用いて検索条件入力欄５０１の各入力欄に検索条件を入力した後、検索ボタン５０２を押下する。これにより、素材情報入力・照会処理部３７は、図１３に示したステップＳＣ３の判断結果を「Ｙｅｓ」とする。
【０１４４】
ステップＳＣ４では、素材情報入力・照会処理部３７は、検索処理を実行する。すなわち、素材情報入力・照会処理部３７は、上記検索条件をキーとして、ブランクテープ情報データベース２００（図４参照）内を検索した後、検索結果をブランクテープ情報表示欄５０３に表示させる。
【０１４５】
ステップＳＣ５では、素材情報入力・照会処理部３７は、戻るボタン５０５が押下されたか否かを判断し、この判断結果が「Ｎｏ」である場合、ステップＳＣ２以降の判断を繰り返す。この場合、戻るボタン５０５が押下されたものとすると、素材情報入力・照会処理部３７は、ステップＳＣ５の判断結果を「Ｙｅｓ」として、図１１に示したルーチンに戻る。
【０１４６】
つぎに、ライブラリ管理担当者は、コンテンツ用テープ情報を入力・照会すべく、図２７に示したコンテンツ用テープ情報入力・照会ボタン４０２を押下する。これにより、素材情報入力・照会処理部３７は、図１２に示したステップＳＢ３の判断結果を「Ｙｅｓ」とする。ステップＳＢ６では、素材情報入力・照会処理部３７は、コンテンツ用テープ情報入力・照会処理を実行する。
【０１４７】
すなわち、図１４に示したステップＳＤ１では、素材情報入力・照会処理部３７は、図３０に示したコンテンツ用テープリスト画面７００を表示部３３に表示させる。このコンテンツ用テープリスト画面７００は、コンテンツが記録されたテープ（コンテンツ用テープ）のリストの表示、ブランクテープ（またはリサイクルテープ）からコンテンツ用テープへの変換、新規のコンテンツ用テープの登録を行うための画面である。ここでいう変換とは、ブランクテープ（またはリサイクルテープ）にコンテンツが記録されることにより、当該ブランクテープ（またはリサイクルテープ）がコンテンツ用テープになることをいう。
【０１４８】
このコンテンツ用テープリスト画面７００には、検索条件入力欄７０１、検索ボタン７０２、コンテンツ用テープリスト表示欄７０３、テープ種別変換ボタン７０４、新規テープ登録ボタン７０５および戻るボタン７０６が表示されている。
【０１４９】
検索条件入力欄７０１は、図５に示したコンテンツ用テープ情報データベース２１０からコンテンツ用テープ情報を検索する際の検索条件（検索キー）を入力するための欄である。検索条件としては、「テープＮｏ．」、「テープ規格」、・・・、「テープ種別」、「ジャンル」、「放映期間」が挙げられる。
【０１５０】
検索ボタン７０２は、上記検索を開始するためのボタンである。コンテンツ用テープリスト表示欄７０３は、検索結果を表示するための欄である。テープ種別変換ボタン７０４は、ブランクテープ（またはリサイクルテープ）をコンテンツ用テープに変換するためのボタンである。新規テープ登録ボタン７０５は、新規のコンテンツ用テープに関するコンテンツ用テープ情報をコンテンツ用テープ情報データベース２１０に登録するためのボタンである。戻るボタン７０６は、前画面に遷移させるためのボタンである。
【０１５１】
図１４に示したステップＳＤ２では、素材情報入力・照会処理部３７は、検索ボタン７０２が押下されたか否かを判断し、この場合、判断結果を「Ｎｏ」とする。ステップＳＤ３では、素材情報入力・照会処理部３７は、テープ種別変換ボタン７０４が押下されたか否かを判断し、この場合、判断結果を「Ｎｏ」とする。
【０１５２】
ステップＳＤ４では、素材情報入力・照会処理部３７は、新規テープ登録ボタン７０５が押下されたか否かを判断し、この場合、判断結果を「Ｎｏ」とする。ステップＳＤ５では、素材情報入力・照会処理部３７は、戻るボタン７０６が押下されたか否かを判断し、この場合、判断結果を「Ｎｏ」として、ステップＳＤ２以降の各判断を繰り返す。
【０１５３】
ここで、ライブラリ管理担当者により、検索条件入力欄７０１の各検索条件が入力された後、検索ボタン７０２が押下されると、素材情報入力・照会処理部３７は、ステップＳＤ２の判断結果を「Ｙｅｓ」とする。ステップＳＤ６では、素材情報入力・照会処理部３７は、ステップＳＤ２で入力された検索条件をキーとして、コンテンツ用テープ情報データベース２１０（図５参照）を検索した後、検索結果をコンテンツ用テープリスト表示欄７０３に表示する。
【０１５４】
また、先に登録済みのブランクテープ（図１：テープ１１０s）をコンテンツ用テープとして登録する場合、ライブラリ管理担当者は、テープ種別変換ボタン７０４を押下する。これにより、素材情報入力・照会処理部３７は、ステップＳＤ３の判断結果を「Ｙｅｓ」とする。ステップＳＤ７では、素材情報入力・照会処理部３７は、テープ情報新規登録処理を実行する。
【０１５５】
すなわち、図１５に示したステップＳＥ１では、素材情報入力・照会処理部３７は、テープ番号（この場合、テープ１１０s のテープ番号）の入力欄およびＯＫボタンが表示されたテープ番号入力画面（図示略）を表示部３３に表示させる。ステップＳＥ２では、素材情報入力・照会処理部３７は、上記ＯＫボタンが押下されたか否かを判断し、この場合、判断結果を「Ｎｏ」として、同判断を繰り返す。
【０１５６】
ここで、ライブラリ管理担当者により、入力欄にテープ番号が入力された後、ＯＫボタンが押下されると、素材情報入力・照会処理部３７は、ステップＳＥ２の判断結果を「Ｙｅｓ」とする。ステップＳＥ３では、素材情報入力・照会処理部３７は、図３１に示したコンテンツ用テープ情報入力欄８０１を表示部３３に表示させる。
【０１５７】
このコンテンツ用テープ情報入力画面８００は、コンテンツ用テープ情報を入力するための画面である。このコンテンツ用テープ情報入力画面８００には、コンテンツ用テープ情報入力欄８０１、コンテンツリストボタン８０２、所有ボタン８０３、保存ボタン８０４および戻るボタン８０５が表示されている。
【０１５８】
コンテンツ用テープ情報入力欄８０１は、コンテンツ用テープ情報としての「Ｔａｐｅ  Ｎｏ．」、「テープ種別」、「テープ尺」、「保管場所（ラックＮｏ．）」（図１に示したテープ保管棚１５０1 〜１５０m のいずれかに対応する保管場所番号）、・・・、「消去可能日」を入力するためのボタンである。
【０１５９】
コンテンツリストボタン８０２は、コンテンツリスト画面９００（図３２）を参照するためのボタンである。コンテンツリスト画面９００は、コンテンツリストの情報の検索、表示を行うための画面である。このコンテンツリスト画面９００には、検索条件入力欄９０１、検索ボタン９０２、コンテンツリスト表示欄９０３、選択ボタン９０４および戻るボタン９０５が表示されている。図３１に戻り、所有ボタン８０３は、前述した借入れ情報を登録するためのボタンである。保存ボタン８０４は、入力されたコンテンツ用テーブル情報をコンテンツ用テープ情報データベース２１０（図５参照）に格納するためのボタンである。戻るボタン８０５は、前画面に遷移させるためのボタンである。
【０１６０】
図１５に示したステップＳＥ４では、素材情報入力・照会処理部３７は、コンテンツリストボタン８０２（図３１参照）が押下されたか否かを判断する。この判断結果が「Ｙｅｓ」である場合、ステップＳＥ５では、素材情報入力・照会処理部３７は、図３２に示したコンテンツリスト画面９００を表示部３３に表示させる。
【０１６１】
これにより、ライブラリ管理担当者は、検索条件入力欄９０１に検索条件を入力した後、検索ボタン９０２を押下し、コンテンツリスト表示欄９０３に検索結果を表示させる。ステップＳＥ６では、素材情報入力・照会処理部３７は、選択ボタン９０４によりコンテンツリスト表示欄９０３の中からいずれかのコンテンツ用テープ情報が選択されたか否かを判断する。
【０１６２】
ステップＳＥ６の判断結果が「Ｎｏ」である場合、ステップＳＥ７では、素材情報入力・照会処理部３７は、戻るボタン９０５が押下されたか否かを判断し、この判断結果が「Ｎｏ」である場合、ステップＳＥ５〜ステップＳＥ７を繰り返す。なお、ステップＳＥ７の判断結果が「Ｙｅｓ」である場合、素材情報入力・照会処理部３７は、ステップＳＥ８の判断を行う。
【０１６３】
そして、ステップＳＥ６の判断結果が「Ｙｅｓ」になると、ステップＳＥ１０では、素材情報入力・照会処理部３７は、選択されたコンテンツ用テープ情報を当該テープに関する情報として選択する。ステップＳＥ８では、素材情報入力・照会処理部３７は、図３１に示した保存ボタン８０４が押下されたか否かを判断する。
【０１６４】
ここで、保存ボタン８０４が押下されると、素材情報入力・照会処理部３７は、ステップＳＥ８の判断結果を「Ｙｅｓ」とする。ステップＳＥ１１では、素材情報入力・照会処理部３７は、上記コンテンツ用テープ情報をコンテンツ用テープ情報データベース２１０（図５参照）に登録した後、図１４に示したルーチンに戻る。
【０１６５】
一方、ステップＳＥ８の判断結果が「Ｎｏ」である場合、ステップＳＥ９では、戻るボタン８０５（図３１参照）が押下されたか否かを判断し、この判断結果が「Ｎｏ」である場合、ステップＳＥ１以降の処理を実行する。
【０１６６】
図１４に示したステップＳＤ９では、素材情報入力・照会処理部３７は、図３１に示した所有ボタン８０３が押下されたか否かを判断する。ここで、所有ボタン８０３が押下されたものとすると、素材情報入力・照会処理部３７は、ステップＳＤ９の判断結果を「Ｙｅｓ」とする。ステップＳＤ１０では、素材情報入力・照会処理部３７は、借入情報登録処理を実行する。
【０１６７】
すなわち、図１７に示したステップＳＧ１では、素材情報入力・照会処理部３７は、図３４に示した借入れ情報入力画面１１００を表示部３３に表示させる。この借入れ情報入力画面１１００には、借入れ情報入力欄１１０１およびＯＫボタン１１０２が表示されている。ライブラリ管理担当者は、入力部３２を用いて、借入れ情報入力欄１１０１に、借入れ情報としての「借受け日」、「担当者」、「取引先担当者」、「ＴＥＬ」、「会社名」および「返却予定日」をそれぞれ入力する。
【０１６８】
図１７に示したステップＳＧ２では、素材情報入力・照会処理部３７は、ＯＫボタン１１０２（図３４参照）が押下されたか否かを判断し、この場合、判断結果を「Ｎｏ」とする。ここで、ライブラリ管理担当者によりＯＫボタン１１０２が押下されると、素材情報入力・照会処理部３７は、ステップＳＧ２の判断結果を「Ｙｅｓ」とする。ステップＳＧ３では、素材情報入力・照会処理部３７は、借入れ情報入力欄１１０１に入力された借入れ情報を図７に示した借入れ情報データベース２３０に登録した後、図１１に示したルーチンに戻る。
【０１６９】
また、ライブラリ管理担当者により、図３０に示した新規テープ登録ボタン７０５が押下されると、素材情報入力・照会処理部３７は、図１４に示したステップＳＤ４の判断結果を「Ｙｅｓ」とする。ステップＳＤ８では、素材情報入力・照会処理部３７は、新規テープ登録処理を実行する。
【０１７０】
すなわち、図１６に示したステップＳＦ１では、素材情報入力・照会処理部３７は、図３３に示したテープ種別登録画面１０００を表示部３３に表示させる。このテープ種別登録画面１０００は、当該新規テープの種別を入力するための画面である。このテープ種別登録画面１０００には、テープ種別を選択入力するためのテープ種別セレクトボックス１００１、ＯＫボタン１００２およびキャンセルボタン１００３が表示されている。
【０１７１】
ステップＳＦ２では、素材情報入力・照会処理部３７は、上記ＯＫボタン１００２が押下されたか否かを判断し、この場合、判断結果を「Ｎｏ」として、同判断を繰り返す。ここで、ライブラリ管理担当者が、テープ種別セレクトボックス１００１よりテープ種別を選択した後、ＯＫボタン１００２を押下すると、素材情報入力・照会処理部３７は、ステップＳＦ２の判断結果を「Ｙｅｓ」とする。
【０１７２】
ステップＳＦ３では、素材情報入力・照会処理部３７は、図３１に示したコンテンツ用テープ情報入力画面８００を表示部３３に表示させる。ステップＳＦ４では、素材情報入力・照会処理部３７は、保存ボタン８０４が押下されたか否かを判断し、この場合、判断結果を「Ｎｏ」とする。ステップＳＦ５では、素材情報入力・照会処理部３７は、戻るボタン８０５が押下されたか否かを判断し、この場合、判断結果を「Ｎｏ」として、ステップＳＦ４の判断を行う。
【０１７３】
ここで、ライブラリ管理担当者により、コンテンツ用テープ情報入力欄８０１にコンテンツ用テープ情報が入力されるか、または、図３２に示したコンテンツリスト表示欄９０３からコンテンツ用テープ情報が選択ボタン９０４により選択された後、保存ボタン８０４が押下されると、素材情報入力・照会処理部３７は、ステップＳＦ４の判断結果を「Ｙｅｓ」とする。
【０１７４】
ステップＳＦ６では、素材情報入力・照会処理部３７は、上記コンテンツ用テープ情報をコンテンツ用テープ情報データベース２１０（図５参照）に登録した後、図１４に示したルーチンに戻り、前述したステップＳＤ９の判断を行う。
【０１７５】
この時点で、コンテンツ用テープ情報の登録が完了となり、ライブラリ管理担当者は、図１に示したテープバーコード８０s、番号ラベル９０s、タイトルラベル１００sを発行するための操作を行う。具体的には、ライブラリ管理担当者は、入力部３２より所定の操作指示を行う。これにより、バーコード関連制御部３４は、コンテンツ用テープ情報データベース２１０（図５参照）を参照して、バーコード発行対象のテープに関するコンテンツ用テープ情報を取得する。
【０１７６】
つぎに、バーコード関連制御部３４は、コンテンツ用テープ情報を印刷部７０へ出力する。これにより、印刷部７０は、テープバーコード８０s（図３（ａ）参照）、番号ラベル９０s（図３（ｂ）参照）およびタイトルラベル１００s（図３（ｃ）参照）をそれぞれ印刷する。そして、ライブラリ管理担当者は、これらのテープバーコード８０s、番号ラベル９０sおよびタイトルラベル１００sをテープ１１０s に貼着する。
【０１７７】
つぎに、ライブラリ管理担当者は、コンテンツ用テープ情報から得られる保管場所の情報に基づいて、例えば、テープ保管棚１５０3（保管場所番号「０００００００００３」）まで移動した後、テープ１１０s をテープ保管棚１５０3 に保管する。つぎに、ライブラリ管理担当者は、ハンディ型バーコードリーダ６０により場所バーコード１６０3 をスキャンした後、タイトルラベル１００s に貼着されているテープバーコード８０s をハンディ型バーコードリーダ６０によりスキャンし、図示しない入庫ボタンを押下する。
【０１７８】
これにより、ハンディ型バーコードリーダ６０からは、両バーコードの読み取り結果および入庫信号が無線を介して、無線インタフェース部３５（図２参照）へ送信される。これにより、バーコード関連制御部３４は、当該テープ１１０s が入庫されたものと認識する。
【０１７９】
また、ライブラリ１０内のテープの内容を消去またはテープを廃棄する場合、ライブラリ管理担当者は、図２６に示したテープ処理出力ボタン３０２を押下する。これにより、テープ処理出力処理部３８は、図１１に示したステップＳＡ２の判断結果を「Ｙｅｓ」とする。ステップＳＡ５では、テープ処理出力処理部３８は、テープ処理出力処理を実行する。
【０１８０】
すなわち、図１８に示したステップＳＨ１では、テープ処理出力処理部３８は、図３５に示した消去／廃棄テープリスト画面１２００を表示部３３に表示させる。この消去／廃棄テープリスト画面１２００は、ライブラリ１０内のテープの内容を消去または廃棄するための画面である。消去／廃棄テープリスト画面１２００には、検索条件入力欄１２０１、検索ボタン１２０２、消去／廃棄テープリスト表示欄１２０３、消去／廃棄確認ボタン１２０４およびメニューボタン１２０５が表示されている。
【０１８１】
検索条件入力欄１２０１は、コンテンツ用テープ情報データベース２１０（図５参照）から消去／廃棄対象のコンテンツ用テープ情報を検索する際の検索条件（検索キー）を入力するための欄である。この検索条件としては、「テープＮｏ．」、「番組タイトル」、・・・、「ジャンル」、「タイプ」および「条件セット」が挙げられる。検索ボタン１２０２は、入力された検索条件（検索キー）に従って、検索を開始するためのボタンである。
【０１８２】
ここで、上記「条件セット」は、テープの廃棄条件または消去条件を選択するためのものである。ここで、テープの廃棄条件および消去条件の一例を以下に列挙する。
（テープの廃棄条件）
・オリジナルテープ：放映期限切れ、廃棄・リサイクル対象アナログテープ
・オリジナルテープ：放映期限切れ、廃棄・リサイクル対象デジタルテープ
・オリジナルテープ：放映期限切れ、廃棄・リサイクル対象デジタルβテープ
・オンエアテープ：放映期限切れ、リサイクル対象デジタルβテープ
・オンエアテープ：初回放送から３年以上経過したテープ
（テープの消去条件）
・全テープ：基準日＞削除可能日
【０１８３】
消去／廃棄テープリスト表示欄１２０３は、検索結果を表示するための欄である。消去／廃棄確認ボタン１２０４は、消去／廃棄テープリスト表示欄１２０３の中から選択されたテープに関して、消去／廃棄の確認を行うためのボタンである。メニューボタン１２０５は、ライブラリメインメニュー画面３００（図２６参照）に画面遷移させるためのボタンである。
【０１８４】
図１８に示したステップＳＨ２では、テープ処理出力処理部３８は、検索ボタン１２０２（図３５参照）が押下されたか否かを判断し、この場合、判断結果を「Ｎｏ」として同判断を繰り返す。そして、ライブラリ管理担当者により、検索条件入力欄１２０１に検索条件が入力された後、検索ボタン１２０２が押下されると、テープ処理出力処理部３８は、ステップＳＨ２の判断結果を「Ｙｅｓ」とする。
【０１８５】
ステップＳＨ３では、テープ処理出力処理部３８は、上記検索条件をキーとして、コンテンツ用テープ情報データベース２１０（図５参照）を検索した後、検索結果を消去／廃棄テープリスト表示欄１２０３に表示させる。ステップＳＨ４では、ライブラリ管理担当者は、消去／廃棄処理を行うか否かを判断する。この判断結果が「Ｎｏ」である場合、ステップＳＨ５では、テープ処理出力処理部３８は、メニューボタン１２０５が押下されたか否かを判断し、この判断結果が「Ｎｏ」である場合、ステップＳＨ２以降の判断を行う。
【０１８６】
一方、ステップＳＨ４の判断結果が「Ｙｅｓ」である場合、ステップＳＨ６では、テープ処理出力処理部３８は、消去／廃棄処理を実行する。すなわち、図１９に示したステップＳＩ１では、テープ処理出力処理部３８は、ライブラリ管理担当者により、消去／廃棄テープリスト表示欄１２０３の中から消去／廃棄対象のテープが選択されたか否かを判断し、この判断結果が「Ｎｏ」である場合、同判断を繰り返す。
【０１８７】
そして、ライブラリ管理担当者により、消去／廃棄テープリスト表示欄１２０３の中から消去または廃棄すべきテープを選択する。具体的には、ライブラリ管理担当者は、消去する場合、「消去」のチェックボックスにチェックを入れ、一方、廃棄する場合、「廃棄」のチェックボックスにチェックを入れる。ステップＳＩ２では、テープ処理出力処理部３８は、消去／廃棄確認ボタン１２０４が押下されたか否かを判断し、この場合、判断結果を「Ｎｏ」として、同判断を繰り返す。
【０１８８】
そして、ライブラリ管理担当者により、消去／廃棄確認ボタン１２０４が押下されると、テープ処理出力処理部３８は、ステップＳＩ２の判断結果を「Ｙｅｓ」とする。ステップＳＩ３では、テープ処理出力処理部３８は、図３６に示した消去／廃棄テープ確認画面１３００を表示部３３に表示させる。この消去／廃棄テープ確認画面１３００は、ライブラリ管理担当者により選択された消去／廃棄すべきテープを確認させるための画面である。
【０１８９】
消去／廃棄テープ確認画面１３００には、選択されたテープの情報を表示するための消去／廃棄テープ情報表示欄１３０１と、消去／廃棄を実行するための消去／廃棄ボタン１３０２とが表示されている。なお、テープ処理出力処理部３８は、図５に示したコンテンツ用テープ情報データベース２１０の「消去可」、「消去不可」、「消去可能日」をチェックして、消去できないテープが選択された場合、その旨をエラー表示させる。また、廃棄についても、テープ処理出力処理部３８は、テープの使用年数が、予め設定されたしきい値を超えた場合に、廃棄を許可する。
【０１９０】
ステップＳＩ４では、テープ処理出力処理部３８は、消去／廃棄ボタン１３０２が押下されたか否かを判断し、この場合、判断結果を「Ｎｏ」として、同判断結果を繰り返す。そして、ライブラリ管理担当者により、消去／廃棄ボタン１３０２が押下されると、テープ処理出力処理部３８は、ステップＳＩ４の判断結果を「Ｙｅｓ」とする。
【０１９１】
ステップＳＩ５では、テープ処理出力処理部３８は、コンテンツ用テープ情報データベース２１０（図５参照）および貸借テープ情報データベース２２０（図６参照）から当該テープに対応するデータを削除する。また、テープ処理出力処理部３８は、当該テープに関するテープ情報を印刷部７０に印刷させた後、図１１に示したルーチンへ戻る。これにより、ライブラリ管理担当者は、上記テープ情報に基づいて、消去／廃棄すべきテープを出庫した後、このテープに対して消去または廃棄の処理を実行する。ここで、消去されたテープ（オンエアテープ、オリジナルテープ）は、リサイクルテープとして再利用される。一方、廃棄されたテープは、再生工場にて新品のブランクテープまたは別の工業製品に再生される。
【０１９２】
つぎに、テープ貸借時の動作について説明する。ライブラリ管理担当者により、図２６に示したテープ貸借情報入力・照会ボタン３０３が押下されると、テープ貸借情報入力処理部３９は、図１１に示したステップＳＡ３の判断結果を「Ｙｅｓ」とする。ステップＳＡ６では、テープ貸借情報入力処理部３９は、テープ貸借情報入力処理を実行する。
【０１９３】
すなわち、図２０に示したステップＳＪ１では、テープ貸借情報入力処理部３９は、図３７に示した貸借テープリスト画面１４００を表示部３３に表示させる。この貸借テープリスト画面１４００は、貸借テープ情報データベース２２０（図６参照）における検索条件の入力、検索結果の表示、その他、テープの貸借を行うための画面である。
【０１９４】
この貸借テープリスト画面１４００には、検索条件入力欄１４０１、検索ボタン１４０２、貸借テープリスト表示欄１４０３、社内持出ボタン１４０４、社外貸出ボタン１４０５、借入情報登録ボタン１４０６、ライブラリ返却ボタン１４０７、社外返却ボタン１４０８、メニューボタン１４０９および戻るボタン１４１０が表示されている。
【０１９５】
検索条件入力欄１４０１は、貸借テープ情報データベース２２０（図６参照）における検索条件（検索キー）を入力するための欄である。検索条件としては、「Ｍａｔ  Ｉｄ．」、「タイトル」、・・・、「ジャンル」が挙げられる。また、検索条件入力欄１４０１には、貸借条件として、前述した貸借ステータス、用途、返却予定日、社内担当者、社外担当者を入力するための貸借条件入力欄が表示されている。
【０１９６】
検索ボタン１４０２は、上記検索条件に従って、貸借テープ情報データベース２２０の検索を開始するためのボタンである。貸借テープリスト表示欄１４０３は、貸借テープ情報データベース２２０の検索結果を表示するための欄である。社内持出ボタン１４０４は、ライブラリ１０から社内にテープを持ち出す際に押下されるボタンである。
【０１９７】
社外貸出ボタン１４０５は、ライブラリ１０から社外にテープを貸し出す際に押下されるボタンである。借入情報登録ボタン１４０６は、供給会社からテープを借り入れした場合に押下されるボタンである。ライブラリ返却ボタン１４０７は、テープをライブラリ１０に返却する際に押下されるボタンである。
【０１９８】
社外返却ボタン１４０８は、供給会社から借り入れしたテープを当該供給会社へ返却する際に押下されるボタンである。メニューボタン１４０９は、ライブラリメインメニュー画面３００（図２６参照）に画面遷移させるためのボタンである。戻るボタン１４１０は、前画面に画面遷移させるためのボタンである。
【０１９９】
図２０に示したステップＳＪ２では、テープ貸借情報入力処理部３９は、検索ボタン１４０２が押下されたか否かを判断し、この場合、判断結果を「Ｎｏ」として、同判断を繰り返す。ここで、ライブラリ管理担当者により、検索条件入力欄１４０１に検索条件が入力された後、検索ボタン１４０２が押下されると、テープ貸借情報入力処理部３９は、ステップＳＪ２の判断結果を「Ｙｅｓ」とする。
【０２００】
ステップＳＪ３では、テープ貸借情報入力処理部３９は、検索条件に従って貸借テープ情報データベース２２０（図６参照）を検索した後、検索結果を貸借テープリスト表示欄１４０３に表示させる。ステップＳＪ４では、テープ貸借情報入力処理部３９は、社内持出ボタン１４０４が押下されたか否かを判断し、この場合、判断結果を「Ｎｏ」とする。
【０２０１】
ステップＳＪ５では、テープ貸借情報入力処理部３９は、社外貸出ボタン１４０５が押下されたか否かを判断し、この場合、判断結果を「Ｎｏ」とする。ステップＳＪ６では、テープ貸借情報入力処理部３９は、ライブラリ返却ボタン１４０７が押下されたか否かを判断し、この場合、判断結果を「Ｎｏ」とする。ステップＳＪ７では、テープ貸借情報入力処理部３９は、借入情報登録ボタン１４０６が押下されたか否かを判断し、この場合、判断結果を「Ｎｏ」とする。
【０２０２】
ステップＳＪ８では、テープ貸借情報入力処理部３９は、社外返却ボタン１４０８が押下されたか否かを判断し、この場合、判断結果を「Ｎｏ」とする。ステップＳＪ９では、テープ貸借情報入力処理部３９は、戻るボタン１４１０が押下されたか否かを判断し、この場合、判断結果を「Ｎｏ」として、ステップＳＪ２以降の判断を繰り返す。
【０２０３】
ここで、ライブラリ１０から社内の担当者がテープを持ち出す場合について、説明する。この場合、社内担当者は、図１に示したテープ保管棚１５０1 から例えばテープ１１０1 を取り出し、ハンディ型バーコードリーダ６０によりテープバーコード（図示略）をスキャンする。ハンディ型バーコードリーダ６０からは、無線を介して、無線インタフェース部３５へ読取データが出力される。
【０２０４】
これにより、テープ貸借情報入力処理部３９は、図３７に示した社内持出ボタン１４０４、社外貸出ボタン１４０５を有効とする。つぎに、社内担当者は、入力部３２を用いて、社内持出ボタン１４０４を押下する。これにより、テープ貸借情報入力処理部３９は、ステップＳＪ４の判断結果を「Ｙｅｓ」とする。
【０２０５】
ステップＳＪ１０では、テープ貸借情報入力処理部３９は、社内持出処理を実行する。すなわち、図２１に示したステップＳＫ１では、テープ貸借情報入力処理部３９は、図３８に示した社内持出情報入力画面１５００を表示部３３に表示させる。この社内持出情報入力画面１５００は、テープを社内に持ち出すために必要な社内持出情報を入力するための画面である。この社内持出情報入力画面１５００には、社内持出情報入力欄１５０１、保存ボタン１５０２、貸借ステータス取消ボタン１５０３およびキャンセルボタン１５０４が表示されている。
【０２０６】
社内持出情報入力欄１５０１は、社内持出情報を入力するための欄である。この社内持出情報としては、「持出日」、「用途」、「担当者」、「返却予定日」および「返却日」が挙げられる。貸借ステータス取消ボタン１５０３は、テープの社内持出（貸借ステータス）を取り消す際に押下されるボタンである。キャンセルボタン１５０４は、社内持出情報入力欄１５０１の入力をキャンセルする際に押下されるボタンである。ここで、一実施の形態においては、放送日まで一週間以内の場合、ライブラリ１０からのテープ貸し出しに関する警告が出る機能を備えている。
【０２０７】
ステップＳＫ２では、テープ貸借情報入力処理部３９は、保存ボタン１５０２が押下されたか否かを判断し、この場合、判断結果を「Ｎｏ」とする。ステップＳＫ３では、テープ貸借情報入力処理部３９は、貸借ステータス取消ボタン１５０３が押下されたか否かを判断し、この場合、判断結果を「Ｎｏ」として、ステップＳＫ２以降の判断を繰り返す。
【０２０８】
そして、社内担当者は、社内持出情報（「返却日」を除く）を社内持出情報入力欄１５０１に入力した後、保存ボタン１５０２を押下する。これにより、テープ貸借情報入力処理部３９は、ステップＳＫ２の判断結果を「Ｙｅｓ」とする。ステップＳＫ４では、テープ貸借情報入力処理部３９は、社内持出情報入力欄１５０１に入力された社内持出情報（「返却日」を除く）を社内持出情報データベース２４０（図８参照）に登録するとともに、「ポインタ」に対応する貸借テープ情報データベース２２０（図６参照）の「貸借ステータス」を社内持出とする。
【０２０９】
また、社内担当者により、貸借ステータス取消ボタン１５０３が押下されると、テープ貸借情報入力処理部３９は、ステップＳＫ３の判断結果を「Ｙｅｓ」とする。ステップＳＫ５では、テープ貸借情報入力処理部３９は、取り消しを行うテープに対応する貸借テープ情報データベース２２０の「貸借ステータス」の社内持出を取り消す。
【０２１０】
つぎに、ライブラリ１０から社外へテープを貸し出す場合について説明する。この場合、社内担当者は、図１に示したテープ保管棚１５０1 から例えばテープ１１０1 を取り出し、ハンディ型バーコードリーダ６０によりテープバーコード（図示略）をスキャンする。ハンディ型バーコードリーダ６０からは、無線を介して、無線インタフェース部３５へ読取データが出力される。
【０２１１】
これにより、テープ貸借情報入力処理部３９は、前述した動作と同様にして、図３７に示した社内持出ボタン１４０４、社外貸出ボタン１４０５を有効とする。つぎに、社内担当者は、入力部３２を用いて、社外貸出ボタン１４０５を押下する。これにより、テープ貸借情報入力処理部３９は、ステップＳＪ５の判断結果を「Ｙｅｓ」とする。
【０２１２】
ステップＳＪ１１では、テープ貸借情報入力処理部３９は、社外貸出処理を実行する。すなわち、図２２に示したステップＳＬ１では、テープ貸借情報入力処理部３９は、図４０に示した社外貸出情報入力画面１７００を表示部３３に表示させる。この社外貸出情報入力画面１７００は、テープを社外に貸し出すために必要な社外貸出情報を入力するための画面である。この社外貸出情報入力画面１７００には、社外貸出情報入力欄１７０１、保存ボタン１７０２、貸借ステータス取消ボタン１７０３およびキャンセルボタン１７０４が表示されている。
【０２１３】
社外貸出情報入力欄１７０１は、社外貸出情報を入力するための欄である。この社外貸出情報としては、「貸出日」、「担当者」、「返却予定日」、「返却日」、「貸出先担当者」、「ＴＥＬ」および「会社名」が挙げられる。保存ボタン１７０２は、社外貸出情報を登録するためのボタンである。貸借ステータス取消ボタン１７０３は、テープの社外貸出（貸借ステータス）を取り消す際に押下されるボタンである。キャンセルボタン１７０４は社外貸出情報入力欄１７０１の入力をキャンセルする際に押下されるボタンである。
【０２１４】
ステップＳＬ２では、テープ貸借情報入力処理部３９は、保存ボタン１７０２が押下されたか否かを判断し、この場合、判断結果を「Ｎｏ」とする。ステップＳＬ３では、テープ貸借情報入力処理部３９は、貸借ステータス取消ボタン１７０３が押下されたか否かを判断し、この場合、判断結果を「Ｎｏ」として、ステップＳＬ２以降の判断を繰り返す。
【０２１５】
そして、社内担当者は、社外貸出情報（「返却日」を除く）を社外貸出情報入力欄１７０１に入力した後、保存ボタン１７０２を押下する。これにより、テープ貸借情報入力処理部３９は、ステップＳＬ２の判断結果を「Ｙｅｓ」とする。ステップＳＬ４では、テープ貸借情報入力処理部３９は、社外貸出情報入力欄１７０１に入力された社外貸出情報（「返却日」を除く）を社外貸出情報データベース２６０（図１０参照）に登録するとともに、「ポインタ」に対応する貸借テープ情報データベース２２０（図６参照）の「貸借ステータス」を社外貸出とする。
【０２１６】
また、社内担当者により、貸借ステータス取消ボタン１７０３が押下されると、テープ貸借情報入力処理部３９は、ステップＳＬ３の判断結果を「Ｙｅｓ」とする。ステップＳＬ５では、テープ貸借情報入力処理部３９は、取り消しを行うテープに対応する貸借テープ情報データベース２２０の「貸借ステータス」の社外貸出を取り消す。
【０２１７】
つぎに、社内持出または社外貸出されたテープをライブラリ１０に返却する場合について説明する。この場合、社内担当者は、当該テープに貼着されているテープバーコードをハンディ型バーコードリーダ６０によりスキャンする。つぎに、社内担当者は、返却すべきテープをライブラリ１０に持ち込み、図３７に示したライブラリ返却ボタン１４０７を押下する。これにより、テープ貸借情報入力処理部３９は、図２０に示したステップＳＪ６の判断結果を「Ｙｅｓ」とする。
【０２１８】
ステップＳＪ１２では、テープ貸借情報入力処理部３９は、ライブラリ返却処理を実行する。すなわち、図２３に示したステップＳＭ１では、テープ貸借情報入力処理部３９は、ハンディ型バーコードリーダ６０からの読取結果および貸借テープ情報データベース２２０（図６参照）に基づいて、当該テープが社内持出テープまたは社外貸出テープのいずれであるかを判断する。
【０２１９】
当該テープが社内持出テープである場合、ステップＳＭ２では、テープ貸借情報入力処理部３９は、図３８に示した社内持出情報入力画面１５００を表示部３３に表示させる。ステップＳＭ３では、社内担当者は、社内持出情報入力欄１５０１の「返却日」に返却日情報を入力する。ステップＳＭ４では、テープ処理出力処理部３８は、保存ボタン１５０２が押下されたか否かを判断し、この判断結果が「Ｎｏ」である場合、同判断を繰り返す。
【０２２０】
そして、社内担当者により、保存ボタン１５０２が押下されると、テープ貸借情報入力処理部３９は、ステップＳＭ４の判断結果を「Ｙｅｓ」とする。ステップＳＭ５では、テープ貸借情報入力処理部３９は、社内持出情報データベース２４０（図８参照）の「返却日」に返却日情報を登録するとともに、「ポインタ」に対応する貸借テープ情報データベース２２０（図６参照）の「返却日」にも返却日情報を登録する。
【０２２１】
一方、当該テープが社外貸出テープである場合、ステップＳＭ６では、テープ貸借情報入力処理部３９は、図４０に示した社外貸出情報入力画面１７００を表示部３３に表示させる。ステップＳＭ３では、社内担当者は、社外貸出情報入力欄１７０１の「返却日」に返却日情報を入力する。ステップＳＭ４では、テープ処理出力処理部３８は、保存ボタン１７０２が押下されたか否かを判断し、この判断結果が「Ｎｏ」である場合、同判断を繰り返す。
【０２２２】
そして、社内担当者により、保存ボタン１７０２が押下されると、テープ貸借情報入力処理部３９は、ステップＳＭ４の判断結果を「Ｙｅｓ」とする。ステップＳＭ５では、テープ貸借情報入力処理部３９は、社外貸出情報データベース２６０（図１０参照）の「返却日」に返却日情報を登録するとともに、「ポインタ」に対応する貸借テープ情報データベース２２０（図６参照）の「返却日」にも返却日情報を登録する。
【０２２３】
また、社外（供給会社）からテープを借り入れした場合、社内担当者は、前述した入庫時のバーコードスキャン動作を経て、図３７に示した借入情報登録ボタン１４０６を押下する。これにより、テープ貸借情報入力処理部３９は、図２０に示したステップＳＪ７の判断結果を「Ｙｅｓ」とする。ステップＳＪ１３では、テープ貸借情報入力処理部３９は、借入情報登録処理を実行する。すなわち、図２４に示したステップＳＮ１では、テープ貸借情報入力処理部３９は、図３９に示した借入情報入力画面１６００を表示部３３に表示させる。
【０２２４】
この借入情報入力画面１６００は、供給会社からテープを借り入れした際の借入情報を入力するための画面である。この借入情報入力画面１６００には、借入情報入力欄１６０１および保存ボタン１６０２が表示されている。借入情報入力欄１６０１は、借入情報としての「借入日」、「担当者」、「返却予定日」、「返却日」、「借入先担当者」、「ＴＥＬ」および「会社名」を入力するための欄である。保存ボタン１６０２は、借入情報を借入情報データベース２５０（図９参照）に登録するためのボタンである。
【０２２５】
ステップＳＮ２では、社内担当者は、図３９に示した借入情報入力欄１６０１に借入情報（「返却日」を除く）を入力する。ステップＳＮ３では、テープ貸借情報入力処理部３９は、保存ボタン１６０２が押下されたか否かを判断し、この場合、判断結果を「Ｎｏ」として、同判断を繰り返す。
【０２２６】
そして、社内担当者により、保存ボタン１６０２が押下されると、テープ貸借情報入力処理部３９は、ステップＳＮ３の判断結果を「Ｙｅｓ」とする。ステップＳＮ４では、テープ貸借情報入力処理部３９は、入力された借入情報を借入情報データベース２５０（図９参照）に登録するとともに、「ポインタ」に対応する貸借テープ情報データベース２２０（図６参照）の「借入」にフラグを立てる。
【０２２７】
つぎに、上記借入れしたテープを社外に返却する場合について説明する。この場合、社内担当者は、前述した社内持出の際の返却におけるバーコードスキャン動作を経て、図３７に示した社外返却ボタン１４０８を押下する。これにより、テープ貸借情報入力処理部３９は、図２０に示したステップＳＪ８の判断結果を「Ｙｅｓ」とする。ステップＳＪ１４では、テープ貸借情報入力処理部３９は、社外返却処理を実行する。
【０２２８】
すなわち、図２５に示したステップＳＯ１では、テープ貸借情報入力処理部３９は、図３９に示した借入情報入力画面１６００を表示部３３に表示させる。ステップＳＯ２では、社内担当者は、借入情報入力欄１６０１の「返却日」に返却日情報を入力する。ステップＳＯ３では、テープ処理出力処理部３８は、保存ボタン１６０２が押下されたか否かを判断し、この判断結果が「Ｎｏ」である場合、同判断を繰り返す。
【０２２９】
そして、社内担当者により、保存ボタン１６０２が押下されると、テープ貸借情報入力処理部３９は、ステップＳＯ３の判断結果を「Ｙｅｓ」とする。ステップＳＯ４では、テープ貸借情報入力処理部３９は、借入情報データベース２５０（図９参照）の「返却日」に返却日情報を登録するとともに、「ポインタ」に対応する貸借テープ情報データベース２２０（図６参照）の「返却日」にも返却日情報を登録する。
【０２３０】
なお、一実施の形態では、ブランクテープについても、前述した手法と同様にして、テープバーコードおよび番号ラベルが発行され、テープ保管棚群１４０に保管されるとともに、データベース管理される。
【０２３１】
つぎに、前述したライブラリ１０における棚卸し作業時の動作について図４１および図４２を参照しつつ説明する。図４１は、同一実施の形態の棚卸しにおけるハンディ型バーコードリーダ６０の動作を説明するフローチャートである。図４２は、図２に示した棚卸し処理部４２の動作を説明するフローチャートである。
【０２３２】
この棚卸し作業は、例えば、月末に実行され、コンテンツ用テープ情報データベース２１０（図５参照）のテープおよび保管場所情報と、現実のライブラリ１０におけるテープおよび保管場所との整合性を採るための作業である。
【０２３３】
棚卸し作業において、ライブラリ管理担当者は、ハンディ型バーコードリーダ６０を把持した状態で、図１に示したテープ保管棚１５０1 の前に移動する。この状態で、図４１に示したステップＳＰ１では、ライブラリ管理担当者は、所定のキー操作により、ハンディ型バーコードリーダ６０を棚卸しモードに設定する。
【０２３４】
これにより、ステップＳＰ２では、ハンディ型バーコードリーダ６０は、ディスプレイ（図示略）に文字列「場所バーコード入力」を表示させる。この文字列「場所コード入力」は、場所バーコード（例えば、場所バーコード１６０1 ）の読み取りを促すための表示である。
【０２３５】
ステップＳＰ３では、ハンディ型バーコードリーダ６０は、場所バーコードを読み取ったか否かを判断し、この場合、判断結果を「Ｎｏ」として同判断を繰り返す。ここで、ライブラリ管理担当者の操作により、ハンディ型バーコードリーダ６０で図１に示した（例えば、場所バーコード１６０1 ）が読み取られると、ハンディ型バーコードリーダ６０は、ステップＳＰ３の判断結果を「Ｙｅｓ」とする。
【０２３６】
ステップＳＰ４では、ハンディ型バーコードリーダ６０は、場所バーコード１６０1 から得られる保管場所番号データをメモリ（図示略）に格納する。ステップＳＰ５では、ハンディ型バーコードリーダ６０は、ディスプレイ（図示略）に文字列「テープバーコード入力」を表示させる。この文字列「テープバーコード入力」は、テープ保管棚に保管済みのテープに貼着されているテープバーコードの読み取りを促すための表示である。
【０２３７】
ステップＳＰ６では、ハンディ型バーコードリーダ６０は、テープバーコードを読み取ったか否かを判断し、この場合、判断結果を「Ｎｏ」として同判断を繰り返す。ここで、ライブラリ管理担当者の操作により、ハンディ型バーコードリーダ６０で、テープ保管棚１５０1 に保管済みのテープ１１０1 に貼着されているテープバーコード（図示略）が読み取られると、ハンディ型バーコードリーダ６０は、ステップＳＰ６の判断結果を「Ｙｅｓ」とする。
【０２３８】
ステップＳＰ７では、ハンディ型バーコードリーダ６０は、ステップＳＰ４で格納された保管場所番号データに対応付けて、上記テープバーコードから得られるテープ番号をメモリ（図示略）に格納する。ステップＳＰ８では、ハンディ型バーコードリーダ６０は、棚卸し処理部４３からのデータファイル自動取り込み要求があるか否かを判断し、この場合、判断結果を「Ｎｏ」とする。
【０２３９】
ステップＳＰ９では、ハンディ型バーコードリーダ６０は、別のテープ保管棚の棚卸しを実施するためのファンクションキー（図示略）が押下されたか否かを判断し、この場合、判断結果を「Ｎｏ」としてステップＳＰ６の判断を行う。以後、テープ保管棚１５０1 に保管されているテープの全てに関して、ステップＳＰ６〜ステップＳＰ９までの棚卸し処理が実行される。
【０２４０】
そして、テープ保管棚１５０1 の棚卸し作業が終了すると、ライブラリ管理担当者は、つぎのテープ保管棚１５０2 の棚卸し作業を実行すべく、ファンクションキーを押下する。これにより、ハンディ型バーコードリーダ６０は、ステップＳＰ９の判断結果を「Ｙｅｓ」とする。以後、ステップＳＰ２以降では、テープ保管棚１５０2 〜１５０m までの棚卸し作業が順次実行される。
【０２４１】
一方、図４２に示したステップＳＱ１では、棚卸し処理部４２は、ライブラリ管理担当者により、データファイル自動取り込み要求が有るか否かを判断し、この場合、判断結果を「Ｎｏ」として同判断を繰り返す。そして、最後のテープ保管棚１５０m の棚卸し作業が終了すると、ライブラリ管理担当者は、入力部３２を用いてデータファイル自動取り込みを要求する。
【０２４２】
これにより、棚卸し処理部４２は、ステップＳＱ１の判断結果を「Ｙｅｓ」とする。ステップＳＱ２では、棚卸し処理部４２は、無線インタフェース部３５を介して、ハンディ型バーコードリーダ６０との接続を確立する。ステップＳＱ３では、棚卸し処理部４３は、ハンディ型バーコードリーダ６０からのファイルの取り込み処理を実行する。
【０２４３】
これにより、ハンディ型バーコードリーダ６０は、図４１に示したステップＳＰ８の判断結果を「Ｙｅｓ」とする。ステップＳＰ１０では、ハンディ型バーコードリーダ６０は、ライブラリ管理担当者により、ファイル転送キー（図示略）が押下されたか否かを判断し、この場合、判断結果を「Ｎｏ」として、同判断を繰り返す。
【０２４４】
ここで、ライブラリ管理担当者により、ファイル転送キーが押下されると、ハンディ型バーコードリーダ６０は、ステップＳＰ１０の判断結果を「Ｙｅｓ」とする。ステップＳＰ１１では、ハンディ型バーコードリーダ６０は、メモリに格納されている複数組の保管場所番号データおよびテープ番号データをファイルとして無線インタフェース部３５へ転送する。
【０２４５】
これにより、図４２に示したステップＳＱ４では、棚卸し処理部４２は、ハンディ型バーコードリーダ６０からのファイル（複数組の保管場所番号データおよびテープ保管場所番号データ）をメモリ（図示略）に格納する。ステップＳＱ５では、棚卸し処理部４２は、メモリから１組の保管場所番号データおよびテープ保管場所番号データを読み込む。
【０２４６】
ステップＳＱ６では、棚卸し処理部４２は、ステップＳＱ５で読み込んだテープ番号データおよび保管場所番号データをキーとして、コンテンツ用テープ情報データベース２１０（図５参照）を照会する。ステップＳＱ７では、棚卸し処理部４２は、ステップＳＱ５で読み込んだテープ保管場所番号およびテープ番号データと、照会結果におけるテープ保管場所番号およびテープ番号データとが一致するか否かを判断する。
【０２４７】
ここで、両者が一致する場合には、ライブラリ１０において、当該テープが正規のテープ保管棚に保管されていることを意味している。一方、テープ保管場所番号が異なる場合には、当該テープが、本来保管されることがない別のテープ保管棚に保管されていることを意味している。
【０２４８】
この場合、ステップＳＱ７の判断結果が「Ｙｅｓ」であるものとすると、ステップＳＱ８では、ハンディ型バーコードリーダ６０は、ステップＳＱ５で読み込まれた１組のデータが最終データであるか否かを判断し、この場合、判断結果を「Ｎｏ」とする。以後、ステップＳＱ５以降では、つぎの組のデータに関する照会処理が繰り返し実行される。
【０２４９】
ここで、ステップＳＱ７の判断結果が「Ｙｅｓ」である場合、すなわち、当該テープが、本来保管されることがない別のテープ保管棚に保管されている場合、ステップＳＱ９では、ハンディ型バーコードリーダ６０は、コンテンツ用テープ情報データベース２１０の保管場所番号データを、ステップＳＱ５で読み込まれたテープ保管場所番号データ（最新データ）に更新する。これにより、データベース上の保管場所と実際の保管場所との整合性が採られる。従って、棚卸し作業では、テープの所在確認精度が向上する。
【０２５０】
以上説明したように、一実施の形態によれば、ライブラリ管理部３０により、テープの資産管理、コンテンツ毎に束ねられたテープの管理、貸借管理、テープの保管場所の管理、テープの消去／廃棄管理、テープの再利用の管理を有機的に実行できる。
【０２５１】
すなわち、図４３に示したように、一実施の形態では、各種テープ（オリジナルテープ、オンエアテープ、ブランクテープ）に関するバーコード（テープバーコード、場所バーコード）の発行→入庫→貸出というプロセスを経て、オンエアテープ（オリジナルテープ）の消去により、これらのテープがリサイクルテープとして再利用される。一方、廃棄条件を満たすオンエアテープ（オリジナルテープ）については、廃棄された後、再生工場により新品テープに再生される。
【０２５２】
つまり、一実施の形態では、前述した管理が徹底されるため、図４３に示したようなリサイクルの仕組みを有効に機能させることができるのである。なお、同図に示したリサイクルテープにおいては、消去前のオリジナルテープ（またはオンエアテープ）に既に貼着されているテープバーコードが剥がされることなく、流用される。従って、一実施の形態では、テープが廃棄されるまでの間、同一のテープバーコードがリサイクルにより繰り返し使用される。
【０２５３】
具体的には、一実施の形態によれば、コンテンツ用テープ情報データベース２１０に「保管場所」の情報、「Ｔａｐｅ  Ｎｏ．」の情報を登録しておき、入庫時に、テープバーコードおよび場所バーコードの読み取り結果とコンテンツ用テープ情報データベース２１０とに基づいて、入庫管理を行うようにしたので、従来の台帳ベース管理に比べて、保管場所の間違い、保管し忘れ等のケアレスミスを防止することができ、入庫管理の効率、検索性を高めることができる。
【０２５４】
また、一実施の形態によれば、コンテンツ用テープ情報データベース２１０に登録された「保管場所」の情報に基づいて、保管場所に関する情報をユーザに閲覧させるようにしたので、ユーザが正確な情報により入庫等を行うことができるため、入庫に伴うケアレスミスの発生をさらに防止することができる。
【０２５５】
また、一実施の形態によれば、出庫する際にテープバーコードを読み取り、この読取結果とコンテンツ用テープ情報データベース２１０に登録された情報とに基づいて、出庫管理を行うようにしたので、従来の台帳ベース管理に比べて、出庫ミスを防止することができ、出庫管理の効率、検索性を高めることができる。
【０２５６】
また、一実施の形態によれば、コンテンツ用テープ情報データベース２１０に、コンテンツとテープとの対応関係を表す対応関係の情報を登録しておき、この対応関係をユーザに閲覧させるようにしたので、コンテンツと複数のテープ（マルチリール）とを一体（コンテンツ数：１に対してテープ数：ｎ）にかつ正確に管理することができ、コンテンツ管理効率を高めることができる。
【０２５７】
また、一実施の形態によれば、テープの貸借状態を表す貸借ステータスをユーザに閲覧させるようにしたので、テープがどのような貸借の状態にあるかを一目瞭然でユーザに認識させることができ、むやみにテープを探すという無駄を回避することができる。
【０２５８】
また、一実施の形態によれば、貸借元の情報をユーザに閲覧させるようにしたので、テープの貸出し先、借入れ先をユーザが一目で知ることができるため、テープの紛失を防止することができる。
【０２５９】
また、一実施の形態によれば、コンテンツの消去またはテープの廃棄のリストをユーザに閲覧させるようにしたので、消去または廃棄してもよいテープとそうでないテープとを明確にすることができる。従って、一実施の形態によれば、テープの廃棄によるライブラリの有効活用や廃棄テープのリサイクル化に貢献することができるとともに、テープの廃棄によるライブラリの有効活用や廃棄テープのリサイクル化に貢献することができる。
【０２６０】
また、一実施の形態によれば、テープバーコード８０s 、場所バーコード１６０1 等をハンディ型バーコードリーダ６０により読み取るようにしたので、ユーザのオペレーション効率を高めることができる。
【０２６１】
また、一実施の形態によれば、テープバーコード８０s に対応する番号ラベル９０s をテープ１１０s に貼着するようにしたので、この番号ラベル９０s によりユーザが目視でテープ識別子を確認することができるため、さらにケアレスミスを防止することができる。
【０２６２】
また、一実施の形態によれば、コンテンツが記録されたテープに加えて、いずれのコンテンツも記録されていないブランクテープに対しても、テープバーコードを発行するようにしたので、従来、手つかずであったブランクテープの資産管理の効率を高めることができる。
【０２６３】
以上本発明にかかる一実施の形態について図面を参照して詳述してきたが、具体的な構成例はこの一実施の形態に限られるものではなく、本発明の要旨を逸脱しない範囲の設計変更等があっても本発明に含まれる。
【０２６４】
例えば、前述した一実施の形態においては、前述したライブラリ管理機能を実現するためのライブラリ管理プログラムを図４４に示したコンピュータ読み取り可能な記録媒体１９００に記録して、この記録媒体１９００に記録されたライブラリ管理プログラムを同図に示したコンピュータ１８００に読み込ませ、実行することにより、ライブラリ管理に関する一連の処理を実行するようにしてもよい。
【０２６５】
同図に示したコンピュータ１８００は、上記ライブラリ管理プログラムを実行するＣＰＵ１８１０と、キーボード、マウス等の入力装置１８２０と、各種データを記憶するＲＯＭ（Read Only Memory）１８３０と、演算パラメータ等を記憶するＲＡＭ（Random Access Memory）１８４０と、記録媒体１９００からライブラリ管理プログラムを読み取る読取装置１８５０と、ディスプレイ、プリンタ等の出力装置１８６０と、各部を接続するバスＢＵとから構成されている。
【０２６６】
ＣＰＵ１８１０は、読取装置１８５０を経由して記録媒体１９００に記録されているライブラリ管理プログラムを読み込んだ後、ライブラリ管理プログラムを実行することにより、前述した、ライブラリ管理に関する一連の処理を実行する。なお、記録媒体１９００には、光ディスク、フロッピーディスク、ハードディスク等の可搬型の記録媒体が含まれることはもとより、ネットワークのようにデータを一時的に記録保持するような伝送媒体も含まれる。
【０２６７】
また、前述した一実施の形態では、例えば、初回放送から３年以上経過したテープを廃棄するという廃棄条件について説明した。この廃棄条件では、テープの劣化状態に関わらず３年以上経過で一律にテープが廃棄されてしまう。従って、この場合には、まだ再利用可能なテープを廃棄してしまうという事態が発生し、再利用率の低下、コストアップ等の問題が生じる。
【０２６８】
これらの問題を回避するために、一実施の形態では、テープの劣化状態を定量的に診断するためのテープ劣化診断装置をライブラリ管理部３０に実装するようにしてもよい。具体的には、テープ劣化診断装置では、以下の劣化状態が診断される。
【０２６９】
（劣化状態項目）
（１）テープ走行方向についた長手傷
（２）ビデオヘッドによりテープ斜め方向についたスキャン傷
（３）エッジダメージ（テープエッジ部の変形、欠損）
【０２７０】
この場合には、テープ劣化診断装置により、廃棄候補のテープに対して劣化診断を実行し、上記劣化状態項目のうち、少なくとも一つに該当する当該テープが廃棄される。一方、劣化状態項目に該当しないテープは、再利用可能と判断され、廃棄候補から外される。このように、テープ劣化診断装置を用いた場合には、テープの再利用率をさらに高めることができ、テープ経費の低コスト化を図ることができる。
【０２７１】
【発明の効果】
以上説明したように、本発明によれば、ライブラリにおける複数の保管場所をそれぞれ識別し当該保管場所に設けられる保管場所識別子の情報と、複数の記録媒体をそれぞれ識別し当該記録媒体に設けられる記録媒体識別子の情報とをデータベースに登録しておき、記録媒体をライブラリに入庫する際に、保管場所識別子および記録媒体識別子の読取結果とデータベースの情報とに基づいて、入庫管理を行うようにしたので、従来の台帳ベース管理に比べて、保管場所の間違い、保管し忘れ等のケアレスミスを防止することができ、入庫管理の効率、検索性を高めることができるという効果を奏する。
【０２７２】
また、本発明によれば、データベースに登録された保管場所識別子に基づいて、保管場所に関する情報をユーザに閲覧させるようにしたので、ユーザが正確な情報により入庫等を行うことができるため、入庫に伴うケアレスミスの発生をさらに防止することができるという効果を奏する。
【０２７３】
また、本発明によれば、ライブラリから記録媒体を出庫する際に記録媒体識別子を読み取り、この読取結果とデータベースに登録された情報とに基づいて、出庫管理を行うようにしたので、従来の台帳ベース管理に比べて、出庫ミスを防止することができ、出庫管理の効率、検索性を高めることができるという効果を奏する。
【０２７４】
また、本発明によれば、コンテンツと記録媒体との対応関係を表す対応関係情報をデータベースに登録しておき、この対応関係情報をユーザに閲覧させるようにしたので、コンテンツと記録媒体とを一体にかつ正確に管理することができ、コンテンツ管理効率を高めることができるという効果を奏する。
【０２７５】
また、本発明によれば、記録媒体の貸借状態を表す貸借情報を入力し、この貸借情報をユーザに閲覧させるようにしたので、記録媒体がどのような貸借の状態にあるかを一目瞭然でユーザに認識させることができ、むやみに記録媒体を探すという無駄を回避することができるという効果を奏する。
【０２７６】
また、本発明によれば、貸借情報に貸借元の情報も含ませるようにしたので、記録媒体の貸出し先、借入れ先をユーザが一目で知ることができるため、記録媒体の紛失を防止することができるという効果を奏する。
【０２７７】
また、本発明によれば、予め設定される条件を満たし廃棄が可能な記録媒体のリストをユーザに閲覧させるようにしたので、廃棄してもよい記録媒体とそうでない記録媒体とを明確にすることができ、記録媒体の廃棄によるライブラリの有効活用や廃棄テープのリサイクル化に貢献することができる。
【０２７８】
また、本発明によれば、予め設定される条件を満たし廃棄が可能な記録媒体のリストをユーザに閲覧させるようにしたので、廃棄してもよい記録媒体とそうでない記録媒体とを明確にすることができ、記録媒体の廃棄によるライブラリの有効活用や廃棄テープのリサイクル化に貢献することができる。
【０２７９】
また、本発明によれば、保管場所識別子、前記記録媒体識別子をバーコードとして発行し、このバーコードをバーコードリーダにより読み取るようにしたので、ユーザのオペレーション効率を高めることができるという効果を奏する。
【０２８０】
また、本発明によれば、記録媒体識別子に対応する数値ラベルを記録媒体に設けるようにしたので、この数値ラベルによりユーザが目視で記録媒体識別子を確認することができるため、さらにケアレスミスを防止することができるという効果を奏する。
【０２８１】
また、本発明によれば、コンテンツが記録された記録媒体に加えて、いずれのコンテンツも記録されていない空の記録媒体に対しても、前記記録媒体識別子を発行するようにしたので、従来、手つかずであった空の記録媒体の資産管理の効率を高めることができるという効果を奏する。
【図面の簡単な説明】
【図１】本発明にかかる一実施の形態の構成を示すブロック図である。
【図２】図１に示したライブラリ管理部３０の構成を示すブロック図である。
【図３】図２に示したテープバーコード８０s、番号ラベル９０s およびタイトルラベル１００s の一例を示す図である。
【図４】図２に示したブランクテープ情報データベース２００の一例を示す図である。
【図５】図２に示したコンテンツ用テープ情報データベース２１０の一例を示す図である。
【図６】図２に示した貸借テープ情報データベース２２０の一例を示す図である。
【図７】図２に示した借入れ情報データベース２３０の一例を示す図である。
【図８】図２に示した社内持出情報データベース２４０の一例を示す図である。
【図９】図２に示した借入情報データベース２５０の一例を示す図である。
【図１０】図２に示した社外貸出情報データベース２６０の一例を示す図である。
【図１１】同一実施の形態の動作を説明するフローチャートである。
【図１２】図１１に示した素材情報入力・照会処理を説明するフローチャートである。
【図１３】図１２に示したブランクテープ情報入力・照会処理を説明するフローチャートである。
【図１４】図１２に示したコンテンツ用テープ情報入力・照会処理を説明するフローチャートである。
【図１５】図１４に示したテープ情報新規登録処理を説明するフローチャートである。
【図１６】図１４に示した新規テープ登録処理を説明するフローチャートである。
【図１７】図１４に示した借入情報登録処理を説明するフローチャートである。
【図１８】図１１に示したテープ処理出力処理を説明するフローチャートである。
【図１９】図１８に示した消去／廃棄処理を説明するフローチャートである。
【図２０】図１１に示したテープ貸借情報入力・照会処理を説明するフローチャートである。
【図２１】図２０に示した社内持出処理を説明するフローチャートである。
【図２２】図２０に示した社外貸出処理を説明するフローチャートである。
【図２３】図２０に示したライブラリ返却処理を説明するフローチャートである。
【図２４】図２０に示した借入情報登録処理を説明するフローチャートである。
【図２５】図２０に示した社外返却処理を説明するフローチャートである。
【図２６】同一実施の形態におけるライブラリメインメニュー画面３００の一例を示す図である。
【図２７】同一実施の形態における素材情報入力・照会メニュー画面４００の一例を示す図である。
【図２８】同一実施の形態におけるブランクテープリスト画面５００の一例を示す図である。
【図２９】同一実施の形態におけるブランクテープ情報入力画面６００の一例を示す図である。
【図３０】同一実施の形態におけるコンテンツ用テープリスト画面７００の一例を示す図である。
【図３１】同一実施の形態におけるコンテンツ用テープ情報入力画面８００の一例を示す図である。
【図３２】同一実施の形態におけるコンテンツリスト画面９００の一例を示す図である。
【図３３】同一実施の形態におけるテープ種別登録画面１０００の一例を示す図である。
【図３４】同一実施の形態における借入れ情報入力画面１１００の一例を示す図である。
【図３５】同一実施の形態における消去／廃棄テープリスト画面１２００の一例を示す図である。
【図３６】同一実施の形態における消去／廃棄テープ確認画面１３００の一例を示す図である。
【図３７】同一実施の形態における貸借テープリスト画面１４００の一例を示す図である。
【図３８】同一実施の形態における社内持出情報入力画面１５００の一例を示す図である。
【図３９】同一実施の形態における借入情報入力画面１６００の一例を示す図である。
【図４０】同一実施の形態における社外貸出情報入力画面１７００の一例を示す図である。
【図４１】同一実施の形態の棚卸しにおけるハンディ型バーコードリーダ６０の動作を説明するフローチャートである。
【図４２】図２に示した棚卸し処理部４２の動作を説明するフローチャートである。
【図４３】同一実施の形態の効果を説明する図である。
【図４４】同一実施の形態の変形例の構成を示すブロック図である。
【符号の説明】
１０  ライブラリ
２０  ライブラリ管理システム
３０  ライブラリ管理部
６０  ハンディ型バーコードリーダ
７０  印刷部
８０s  テープバーコード
９０s  番号ラベル
１１０1  テープ
１４０  テープ保管棚群
１５０1  テープ保管棚
１６０1  場所バーコード
３２  入力部
３３  表示部
３４  バーコード関連制御部
３７  素材情報入力・照会処理部
３８  テープ処理出力処理部
３９  テープ貸借情報入力処理部
４２  棚卸し処理部
【図１】
0003721096.tif 000002
【図２】
0003721096.tif 000003
【図３】
0003721096.tif 000004
【図４】
0003721096.tif 000005
【図５】
0003721096.tif 000006
【図６】
0003721096.tif 000007
【図７】
0003721096.tif 000008
【図８】
0003721096.tif 000009
【図９】
0003721096.tif 000010
【図１０】
0003721096.tif 000011
【図１１】
0003721096.tif 000012
【図１２】
0003721096.tif 000013
【図１３】
0003721096.tif 000014
【図１４】
0003721096.tif 000015
【図１５】
0003721096.tif 000016
【図１６】
0003721096.tif 000017
【図１７】
0003721096.tif 000018
【図１８】
0003721096.tif 000019
【図１９】
0003721096.tif 000020
【図２０】
0003721096.tif 000021
【図２１】
0003721096.tif 000022
【図２２】
0003721096.tif 000023
【図２３】
0003721096.tif 000024
【図２４】
0003721096.tif 000025
【図２５】
0003721096.tif 000026
【図２６】
0003721096.tif 000027
【図２７】
0003721096.tif 000028
【図２８】
0003721096.tif 000029
【図２９】
0003721096.tif 000030
【図３０】
0003721096.tif 000031
【図３１】
0003721096.tif 000032
【図３２】
0003721096.tif 000033
【図３３】
0003721096.tif 000034
【図３４】
0003721096.tif 000035
【図３５】
0003721096.tif 000036
【図３６】
0003721096.tif 000037
【図３７】
0003721096.tif 000038
【図３８】
0003721096.tif 000039
【図３９】
0003721096.tif 000040
【図４０】
0003721096.tif 000041
【図４１】
0003721096.tif 000042
【図４２】
0003721096.tif 000043
【図４３】
0003721096.tif 000044
【図４４】
0003721096.tif 000045